(57)【要約】【課題】  作業者の生産性を向上することができる作業者管理システム、作業者管理方法及び作業者管理プログラムを提供する。【解決手段】  作業者管理システム１は、ネットワーク８０を経由して複数の作業者Ｐａ等を管理する作業者管理システムであって、受信部１１と生成部１３とを備える。受信部１１は、覚醒度等関連情報と作業者Ｐａ等の存在の情報とを、ネットワーク８０を経由して受信する。覚醒度等関連情報は、作業者Ｐａ等の覚醒度、作業者Ｐａ等の疲労度及び作業者Ｐａ等のストレス度の少なくとも１つに関する情報である。生成部１３は、報知作業者群（Ｐａ，Ｐｂ，・・・）の覚醒度等関連情報に基づいて、加工情報を生成する。報知作業者群（Ｐａ，Ｐｂ，・・・）は、複数の作業者Ｐａ等のうち２以上の作業者を含む。加工情報は、報知作業者群（Ｐａ，Ｐｂ，・・・）に関する情報である。【選択図】      図１
2005222518.tif 000002
【特許請求の範囲】
【請求項１】
ネットワーク（８０）及びローカルエリアネットワーク（３０）の少なくとも一方を経由して複数の作業者を管理する作業者管理システム（１，１ｎ，１００，１００ｎ，２００，２００ｎ）であって、
前記作業者の覚醒度、前記作業者の疲労度及び前記作業者のストレス度の少なくとも１つに関する情報である覚醒度等関連情報と、前記作業者の存在の情報と、を前記ネットワーク（８０）及び前記ローカルエリアネットワーク（３０）の少なくとも一方を経由して受信する受信部（１１，１１ｎ）と、
前記複数の作業者のうち２以上の作業者を含む報知作業者群の前記覚醒度等関連情報に基づいて、前記報知作業者群に関する情報である加工情報を生成する生成部（１３，１３ｎ，２５３ａ，・・・）と、
を備えた、
作業者管理システム（１，１ｎ，１００，１００ｎ，２００，２００ｎ）。
【請求項２】
前記複数の作業者を前記ネットワーク（８０）経由で管理する者である管理者と前記複数の作業者を前記ローカルエリアネットワーク（３０）経由で管理する者であるローカル管理者との少なくとも一方へ前記加工情報を報知する報知部（１５，１５ｎ，１４３ａ，・・・）をさらに備えた、
請求項１に記載の作業者管理システム（１，１ｎ，１００，１００ｎ，２００，２００ｎ）。
【請求項３】
前記覚醒度等関連情報は、前記作業者の生理活動に関する情報を含み、
前記加工情報は、前記作業者の前記生理活動のレベルについての前記報知作業者群における相対的な位置、前記報知作業者群におけるそれぞれの前記作業者の前記生理活動のレベル、前記報知作業者群における前記作業者の前記生理活動のレベルに関するランキング、前記報知作業者群におけるそれぞれの前記作業者の前記生理活動のレベルについての頻度分布、前記報知作業者群におけるそれぞれの前記作業者の前記生理活動のレベルが出現する時間的な割合、前記報知作業者群におけるそれぞれの前記作業者の前記生理活動のレベルについての平均値、前記報知作業者群における前記作業者の前記生理活動のレベルについての平均値に関するランキング、前記報知作業者群におけるそれぞれの前記作業者の前記生理活動のレベルについての最大値、前記報知作業者群における前記作業者の前記生理活動のレベルについての最大値に関するランキング、前記報知作業者群におけるそれぞれの前記作業者の前記生理活動のレベルについての最小値、前記報知作業者群における前記作業者の前記生理活動のレベルについての最小値に関するランキング並びに前記報知作業者群におけるそれぞれの前記作業者の前記生理活動の履歴のうち少なくとも１つを含む、
請求項１又は２に記載の作業者管理システム（１，１ｎ，１００，１００ｎ，２００，２００ｎ）。
【請求項４】
前記報知作業者群は、１以上の作業者を有する所定のグループを複数だけ含み、
前記覚醒度等関連情報は、前記作業者の生理活動に関する情報を含み、
前記加工情報は、前記報知作業者群におけるそれぞれの前記所定のグループの前記生理活動のレベル、前記報知作業者群における前記所定のグループの前記生理活動のレベルに関するランキング、前記報知作業者群におけるそれぞれの前記所定のグループの前記生理活動のレベルについての頻度分布、前記報知作業者群におけるそれぞれの前記所定のグループの前記生理活動のレベルが出現する時間的な割合、前記報知作業者群におけるそれぞれの前記所定のグループの前記生理活動のレベルについての平均値、前記報知作業者群における前記所定のグループの前記生理活動のレベルについての平均値に関するランキング、前記報知作業者群におけるそれぞれの前記所定のグループの前記生理活動のレベルについての最大値、前記報知作業者群における前記所定のグループの前記生理活動のレベルについての最大値に関するランキング、前記報知作業者群におけるそれぞれの前記所定のグループの前記生理活動のレベルについての最小値並びに前記報知作業者群における前記所定のグループの前記生理活動のレベルについての最小値に関するランキングのうち少なくとも１つを含む、
請求項１から３のいずれか１項に記載の作業者管理システム（１，１ｎ，１００，１００ｎ，２００，２００ｎ）。
【請求項５】
前記覚醒度等関連情報を検知する第１検知部（４４ａ，・・・）をさらに備え、
前記第１検知部（４４ａ，・・・）と前記受信部（１１，１１ｎ）とは、前記ネットワーク（８０）及び前記ローカルエリアネットワーク（３０）の少なくとも一方を介して接続されている、
請求項１から４のいずれか１項に記載の作業者管理システム（１，１ｎ，１００，１００ｎ，２００，２００ｎ）。
【請求項６】
前記複数の作業者のうちいずれかの作業者である対象作業者を別の作業者と区別して検知する第２検知部（４５ａ，・・・）と、
前記対象作業者の存在と前記覚醒度等関連情報との相関関係を記憶する第１相関関係記憶部（１７，１７ｎ）と、
をさらに備え、
前記第２検知部（４５ａ，・・・）と前記受信部（１１，１１ｎ）とは、前記ネットワーク（８０）及び前記ローカルエリアネットワーク（３０）の少なくとも一方を介して接続されている、
請求項１から５のいずれか１項に記載の作業者管理システム（１，１ｎ，１００，１００ｎ，２００，２００ｎ）。
【請求項７】
前記報知部（１５，１５ｎ，１４３ａ，・・・）は、前記加工情報を表示することにより前記管理者及び前記ローカル管理者の少なくとも一方へ報知する、あるいは前記加工情報を音声で知らせることにより前記管理者及び前記ローカル管理者の少なくとも一方へ報知する、
請求項２に記載の作業者管理システム（１，１ｎ，１００，１００ｎ，２００，２００ｎ）。
【請求項８】
前記対象作業者の前記覚醒度等関連情報に対する前記管理者及び前記ローカル管理者の少なくとも一方のアドバイスである第１アドバイスが入力される入力部（１６，１６ｎ）と、
前記ネットワーク（８０）及び前記ローカルエリアネットワーク（３０）の少なくとも一方を経由して前記第１アドバイスを、前記対象作業者に閲覧される端末である端末装置（４０ａ，４０ｂ，・・・）へ送信する送信部（１１，１１ｎ）と、
をさらに備えた、
請求項６又は７に記載の作業者管理システム（１，１ｎ，１００，１００ｎ，２００，２００ｎ）。
【請求項９】
前記複数の作業者のうち少なくとも前記報知作業者群について、前記ネットワーク（８０）及び前記ローカルエリアネットワーク（３０）の少なくとも一方を経由して、少なくとも前記覚醒度等関連情報を集中的に管理する集中管理部（１２，１２ｎ）をさらに備え、
前記集中管理部（１２，１２ｎ）は、前記第１アドバイスを選択し、
前記送信部（１１，１１ｎ）は、前記ネットワーク（８０）及び前記ローカルエリアネットワーク（３０）の少なくとも一方を経由して前記第１アドバイスを、前記対象作業者に閲覧される端末である端末装置（４０ａ，４０ｂ，・・・）へ送信する、
請求項８に記載の作業者管理システム（１，１ｎ，１００，１００ｎ，２００，２００ｎ）。
【請求項１０】
前記覚醒度等関連情報に関する前記作業者の主観である第１申告情報が入力される第１入力部（４８ａ，・・・）をさらに備え、
前記第１入力部（４８ａ，・・・）と前記受信部（１１，１１ｎ）とは、前記ネットワーク（８０）及び前記ローカルエリアネットワーク（３０）の少なくとも一方を介して接続されている、
請求項１から９のいずれか１項に記載の作業者管理システム（１，１ｎ，１００，１００ｎ，２００，２００ｎ）。
【請求項１１】
前記第１検知部（４４ａ，・・・）が検知した前記覚醒度等関連情報と前記第１入力部（４８ａ，・・・）に入力された前記第１申告情報との相関関係を前記作業者毎に記憶する第２相関関係記憶部（１８，１８ｎ）をさらに備えた、
請求項１０に記載の作業者管理システム（１，１ｎ，１００，１００ｎ，２００，２００ｎ）。
【請求項１２】
前記作業者の状態を検知する第３検知部（４６ａ，・・・）をさらに備え、
前記第３検知部（４６ａ，・・・）と前記受信部（１１，１１ｎ）とは、前記ネットワーク（８０）及び前記ローカルエリアネットワーク（３０）の少なくとも一方を介して接続されており、
前記報知部（１５，１５ｎ，１４３ａ，・・・）は、前記加工情報を前記作業者の状態とともに前記管理者及び前記ローカル管理者の少なくとも一方へ報知する、
請求項２に記載の作業者管理システム（１，１ｎ，１００，１００ｎ，２００，２００ｎ）。
【請求項１３】
前記作業者の状態を検知する第３検知部（４６ａ，・・・）をさらに備え、
前記第３検知部（４６ａ，・・・）と前記受信部（１１，１１ｎ）とは、前記ネットワーク（８０）及び前記ローカルエリアネットワーク（３０）の少なくとも一方を介して接続されており、
前記入力部（１６，１６ｎ）には、前記作業者の状態に基づいて、前記作業者の状態に適した前記覚醒度等関連情報の範囲である好適範囲が入力され、
前記報知部（１５，１５ｎ，１４３ａ，・・・）は、前記加工情報を、前記作業者の状態及び前記好適範囲とともに前記管理者及び前記ローカル管理者の少なくとも一方へ報知する、あるいは、前記好適範囲とともに前記管理者及び前記ローカル管理者の少なくとも一方へ報知する、
請求項２に記載の作業者管理システム（１，１ｎ，１００，１００ｎ，２００，２００ｎ）。
【請求項１４】
前記加工情報は、前記報知作業者群におけるそれぞれの前記作業者の前記生理活動が前記好適範囲を外れた連続時間、前記報知作業者群における前記作業者の前記生理活動が前記好適範囲を外れた連続時間に関するランキング、前記報知作業者群におけるそれぞれの前記作業者の前記生理活動が前記好適範囲を外れた累積時間、前記報知作業者群における前記作業者の前記生理活動が前記好適範囲を外れた累積時間に関するランキング、前記報知作業者群におけるそれぞれの前記所定のグループの前記生理活動が前記好適範囲を外れた連続時間、前記報知作業者群における前記所定のグループの前記生理活動が前記好適範囲を外れた連続時間に関するランキング、前記報知作業者群におけるそれぞれの前記所定のグループの前記生理活動が前記好適範囲を外れた累積時間並びに前記報知作業者群における前記所定のグループの前記生理活動が前記好適範囲を外れた累積時間に関するランキングのうち少なくとも１つを含む、
請求項１３に記載の作業者管理システム（１，１ｎ，１００，１００ｎ，２００，２００ｎ）。
【請求項１５】
前記第３検知部（４６ａ，・・・）は、前記作業者の状態として、前記作業者の作業の種類を検知する、
請求項１２から１４のいずれか１項に記載の作業者管理システム（１，１ｎ，１００，１００ｎ，２００，２００ｎ）。
【請求項１６】
前記第３検知部（４６ａ，・・・）は、前記作業者の状態として、前記作業者の作業の経過時間、前記作業者の作業の残勤務時間、前記作業者の動作量、前記作業者の在席の連続時間及び前記作業者の在席の累積時間の少なくとも１つを検知する、
請求項１２から１５のいずれか１項に記載の作業者管理システム（１，１ｎ，１００，１００ｎ，２００，２００ｎ）。
【請求項１７】
前記第３検知部（４６ａ，・・・）は、前記作業者の状態として、前記作業者の周囲の環境を検知する、
請求項１２から１６のいずれか１項に記載の作業者管理システム（１，１ｎ，１００，１００ｎ，２００，２００ｎ）。
【請求項１８】
前記対象作業者の前記覚醒度等関連情報に対する前記作業者の状態に基づく前記管理者及び前記ローカル管理者の少なくとも一方のアドバイスである第２アドバイスが入力される入力部（１６，１６ｎ）と、
前記ネットワーク（８０）及び前記ローカルエリアネットワーク（３０）の少なくとも一方を経由して前記第２アドバイスを、前記対象作業者に閲覧される端末である端末装置（４０ａ，４０ｂ，・・・）へ送信する送信部（１１，１１ｎ）と、
をさらに備えた、
請求項１２から１７のいずれか１項に記載の作業者管理システム（１，１ｎ，１００，１００ｎ，２００，２００ｎ）。
【請求項１９】
前記複数の作業者のうち少なくとも前記報知作業者群について、前記ネットワーク（８０）及び前記ローカルエリアネットワーク（３０）の少なくとも一方を経由して、少なくとも前記覚醒度等関連情報を集中的に管理する集中管理部（１２，１２ｎ）をさらに備え、
前記集中管理部（１２，１２ｎ）は、前記第２アドバイスを選択し、
前記送信部（１１，１１ｎ）は、前記ネットワーク（８０）及び前記ローカルエリアネットワーク（３０）の少なくとも一方を経由して前記第２アドバイスを、前記対象作業者に閲覧される端末である端末装置（４０ａ，４０ｂ，・・・）へ送信する、
請求項１８に記載の作業者管理システム（１，１ｎ，１００，１００ｎ，２００，２００ｎ）。
【請求項２０】
前記覚醒度等関連情報と前記好適範囲との相関関係を前記作業者毎に記憶する第３相関関係記憶部（１９，１９ｎ）をさらに備えた、
請求項１３から１９のいずれか１項に記載の作業者管理システム（１，１ｎ，１００，１００ｎ，２００，２００ｎ）。
【請求項２１】
前記覚醒度等関連情報と前記好適範囲との相関関係を前記作業者の状態毎に記憶する第３相関関係記憶部（１９，１９ｎ）をさらに備えた、
請求項１３から２０のいずれか１項に記載の作業者管理システム（１，１ｎ，１００，１００ｎ，２００，２００ｎ）。
【請求項２２】
前記好適範囲に関する前記作業者の主観である第２申告情報が入力される第２入力部（４９ａ，・・・）をさらに備え、
前記第２入力部（４９ａ，・・・）と前記受信部（１１，１１ｎ）とは、前記ネットワーク（８０）及び前記ローカルエリアネットワーク（３０）の少なくとも一方を介して接続されている、
請求項１３から２１のいずれか１項に記載の作業者管理システム（１，１ｎ，１００，１００ｎ，２００，２００ｎ）。
【請求項２３】
前記作業者の状態に関する前記作業者の主観又は申告である第３申告情報が入力される第３入力部（５１ａ，・・・）をさらに備え、
前記第３入力部（５１ａ，・・・）と前記受信部（１１，１１ｎ）とは、前記ネットワーク（８０）及び前記ローカルエリアネットワーク（３０）の少なくとも一方を介して接続されている、
請求項１２から２２のいずれか１項に記載の作業者管理システム（１，１ｎ，１００，１００ｎ，２００，２００ｎ）。
【請求項２４】
前記作業者の作業の成績を検知する第４検知部（４７ａ，・・・）をさらに備え、
前記第４検知部（４７ａ，・・・）と前記受信部（１１，１１ｎ）とは、前記ネットワーク（８０）及び前記ローカルエリアネットワーク（３０）の少なくとも一方を介して接続されており、
前記入力部（１６，１６ｎ）には、前記作業者の状態と前記作業者の前記作業の成績とに基づいて、前記好適範囲が入力される、
請求項１３から２３のいずれか１項に記載の作業者管理システム（１，１ｎ，１００，１００ｎ，２００，２００ｎ）。
【請求項２５】
前記作業者の前記作業の成績に関する前記作業者の主観である第４申告情報が入力される第４入力部（５２ａ，・・・）をさらに備え、
前記第４入力部（５２ａ，・・・）と前記受信部（１１，１１ｎ）とは、前記ネットワーク（８０）及び前記ローカルエリアネットワーク（３０）の少なくとも一方を介して接続されている、
請求項２３に記載の作業者管理システム（１，１ｎ，１００，１００ｎ，２００，２００ｎ）。
【請求項２６】
前記作業者の職種、前記作業者の業種、前記作業者の年齢、前記作業者の性別、前記作業者の勤務形態、前記作業者の通勤形態及び前記作業者の通勤時間の少なくとも１つが入力される第５入力部（５３ａ，・・・）と、
前記作業者の職種、前記作業者の業種、前記作業者の年齢、前記作業者の性別、前記作業者の勤務形態、前記作業者の通勤形態及び前記作業者の通勤時間の少なくとも１つと前記覚醒度等関連情報との相関関係を記憶する第４相関関係記憶部（２３，２３ｎ）と、
をさらに備え、
前記第５入力部（４８ａ，・・・）と前記受信部（１１，１１ｎ）とは、前記ネットワーク（８０）及び前記ローカルエリアネットワーク（３０）の少なくとも一方を介して接続されている、
請求項１から２５のいずれか１項に記載の作業者管理システム（１，１ｎ，１００，１００ｎ，２００，２００ｎ）。
【請求項２７】
ネットワーク（８０）及びローカルエリアネットワーク（３０）の少なくとも一方を経由して複数の作業者を管理する作業者管理装置（１０，１０ｎ，１１０，１１０ｎ，２１０，２１０ｎ）であって、
前記作業者の覚醒度、前記作業者の疲労度及び前記作業者のストレス度の少なくとも１つに関する情報である覚醒度等関連情報と、前記作業者の存在の情報と、を前記ネットワーク（８０）及び前記ローカルエリアネットワーク（３０）の少なくとも一方を経由して受信する受信部（１１，１１ｎ）と、
前記複数の作業者のうち２以上の作業者を含む報知作業者群の前記覚醒度等関連情報に基づいて、前記報知作業者群に関する情報である加工情報を生成する生成部（１３，１３ｎ）と、
を備えた、
作業者管理装置（１０，１０ｎ，１１０，１１０ｎ）。
【請求項２８】
ネットワーク（８０）及びローカルエリアネットワーク（３０）の少なくとも一方を経由して複数の作業者が管理される作業者管理方法であって、
前記作業者の覚醒度、前記作業者の疲労度及び前記作業者のストレス度の少なくとも１つに関する情報である覚醒度等関連情報と、前記作業者の存在の情報と、が前記ネットワーク（８０）及び前記ローカルエリアネットワーク（３０）の少なくとも一方を経由して受信される受信ステップと、
前記複数の作業者のうち２以上の作業者を含む報知作業者群の前記覚醒度等関連情報に基づいて、前記覚醒度等関連情報に基づいて加工された情報であり前記報知作業者群に関する情報である加工情報が生成される生成ステップと、
を備えた、
作業者管理方法。
【請求項２９】
ネットワーク（８０）及びローカルエリアネットワーク（３０）の少なくとも一方を経由して複数の作業者をコンピュータ（１０，１０ｎ，１１０，１１０ｎ，１４０ａ，・・・，２１０，２１０ｎ，２４０ａ，・・・）に管理させる作業者管理プログラムであって、
前記作業者の覚醒度、前記作業者の疲労度及び前記作業者のストレス度の少なくとも１つに関する情報である覚醒度等関連情報と、前記作業者の存在の情報と、が前記ネットワーク（８０）及び前記ローカルエリアネットワーク（３０）の少なくとも一方を経由して受信される受信ステップと、
前記複数の作業者のうち２以上の作業者を含む報知作業者群の前記覚醒度等関連情報に基づいて、前記報知作業者群に関する情報である加工情報が生成される生成ステップと、
を備えた、
作業者管理プログラム。
【発明の詳細な説明】
【技術分野】
【０００１】
本発明は、作業者管理システム、作業者管理方法、作業者管理装置及び作業者管理プログラムに関する。
【背景技術】
【０００２】
従来から、作業者の覚醒度、作業者の疲労度及び作業者のストレス度の少なくとも１つ（以下、作業者の覚醒度等とする）に関する情報である覚醒度等関連情報を管理するためのシステムが提案されている（例えば、特許文献１参照。）。
【特許文献１】特開平１０−４０４８１（第１−１４頁、第１−１９図）
【発明の開示】
【発明が解決しようとする課題】
【０００３】
しかし、従来のシステムでは、覚醒度等関連情報が作業者毎に個別に管理されているため、対象作業者の覚醒度等が適度な値でない場合に、その原因が対象作業者の個人的な原因であるのか対象作業者と別の作業者とに共通した原因であるのかを判断することが困難になることがある。ここで、対象作業者は、複数の作業者のうちいずれかの作業者である。別の作業者は、複数の作業者のうち対象作業者以外の１以上の作業者である。そのため、覚醒度等が適度な値でない作業者に覚醒度等の改善方法を提案することが困難になることがある。その結果、作業者の生産性が向上しないことがある。
【０００４】
そこで、本発明の課題は、作業者の生産性を向上することができる作業者管理システム、作業者管理方法及び作業者管理プログラムを提供することにある。
【課題を解決するための手段】
【０００５】
第１発明に係る作業者管理システムは、ネットワーク及びローカルエリアネットワークの少なくとも一方（以下、ネットワーク等とする）を経由して複数の作業者を管理する作業者管理システムであって、受信部と生成部とを備える。受信部は、覚醒度等関連情報と作業者の存在の情報とを、ネットワーク等を経由して受信する。覚醒度等関連情報は、作業者の覚醒度、作業者の疲労度及び作業者のストレス度の少なくとも１つ（以下、作業者の覚醒度等とする）に関する情報である。生成部は、報知作業者群の覚醒度等関連情報に基づいて、加工情報を生成する。報知作業者群は、複数の作業者のうち２以上の作業者を含む。加工情報は、報知作業者群に関する情報である。
【０００６】
この作業者管理システムでは、覚醒度等関連情報が検知され得る。あるいは、覚醒度等関連情報が入力され得る。対象作業者の存在が、別の作業者と区別して検知され得る。受信部が、覚醒度等関連情報と作業者の存在の情報とをネットワーク等経由で受信する。作業者の存在の情報と覚醒度等関連情報とが関連付けられ得る。生成部が、報知作業者群の覚醒度等関連情報に基づいて、加工情報を生成する。
【０００７】
したがって、覚醒度等関連情報を報知作業者群について比較しながら把握することができるので、対象作業者の覚醒度等が適度な値でない場合に、その原因が対象作業者の個人的な原因であるのか対象作業者と別の作業者とに共通した原因であるのかを判断することができる。このため、覚醒度等が適度な値でない作業者に覚醒度等の改善方法について提案することを容易にすることができるので、作業者の生産性を向上することができる。
【０００８】
なお、対象作業者は、複数の作業者のうちいずれかの作業者である。別の作業者は、複数の作業者のうち対象作業者以外の１以上の作業者である。報知作業者群は、対象作業者と別の作業者とを含む。覚醒度等関連情報は、検知された情報でもよいし、入力された情報でもよい。報知作業者群の範囲は、例えば、全社であってもよいし、事業所全体であってもよいし、部門全体であってもよいし、複数の会社全体であってもよいし、複数の事業所全体であってもよいし、複数の部門全体であってもよいし、ビル全体であってもよいし、複数のビル全体であってもよいし、どのような範囲であってもよい。
【０００９】
第２発明に係る作業者管理システムは、第１発明の作業者管理システムであって、報知部をさらに備える。報知部は、管理者とローカル管理者との少なくとも一方（以下、管理者等とする）へ報知する。管理者は、複数の作業者をネットワーク経由で管理する者である。ローカル管理者は、複数の作業者をローカルエリアネットワーク経由で管理する者である。
【００１０】
この作業者管理システムでは、覚醒度等関連情報が検知され得る。あるいは、覚醒度等関連情報が入力され得る。対象作業者の存在が、別の作業者と区別して検知され得る。受信部が、覚醒度等関連情報と作業者の存在の情報とをネットワーク等経由で受信する。作業者の存在の情報と覚醒度等関連情報とが関連付けられ得る。生成部が、報知作業者群の覚醒度等関連情報に基づいて、加工情報を生成する。報知部が、加工情報を受け取ることができる。報知部が、管理者等へ加工情報を報知する。
【００１１】
したがって、管理者等へ加工情報を報知するので、管理者等が複数の作業者をネットワーク等経由で管理することを容易にすることができる。
第３発明に係る作業者管理システムは、第１発明又は第２発明の作業者管理システムであって、覚醒度等関連情報は、作業者の生理活動に関する情報を含む。加工情報は、作業者の生理活動のレベルについての報知作業者群における相対的な位置、報知作業者群におけるそれぞれの作業者の生理活動のレベル、報知作業者群における作業者の生理活動のレベルに関するランキング、報知作業者群におけるそれぞれの作業者の生理活動のレベルについての頻度分布、報知作業者群におけるそれぞれの作業者の生理活動のレベルが出現する時間的な割合、報知作業者群におけるそれぞれの作業者の生理活動のレベルについての平均値、報知作業者群における作業者の生理活動のレベルについての平均値に関するランキング、報知作業者群におけるそれぞれの作業者の生理活動のレベルについての最大値、報知作業者群における作業者の生理活動のレベルについての最大値に関するランキング、報知作業者群におけるそれぞれの作業者の生理活動のレベルについての最小値、報知作業者群における作業者の生理活動のレベルについての最小値に関するランキング並びに報知作業者群におけるそれぞれの作業者の生理活動の履歴のうち少なくとも１つを含む。
【００１２】
この作業者管理システムでは、覚醒度等関連情報が検知され得る。あるいは、覚醒度等関連情報が入力され得る。対象作業者の存在が、別の作業者と区別して検知され得る。受信部が、覚醒度等関連情報と作業者の存在の情報とをネットワーク等経由で受信する。覚醒度等関連情報が、作業者の生理活動に関する情報を含む。作業者の存在の情報と覚醒度等関連情報とが関連付けられ得る。生成部が、報知作業者群の覚醒度等関連情報に基づいて、加工情報を生成する。加工情報が、作業者の生理活動のレベルについての報知作業者群における相対的な位置、報知作業者群におけるそれぞれの作業者の生理活動のレベル、報知作業者群における作業者の生理活動のレベルに関するランキング、報知作業者群におけるそれぞれの作業者の生理活動のレベルについての頻度分布、報知作業者群におけるそれぞれの作業者の生理活動のレベルが出現する時間的な割合、報知作業者群におけるそれぞれの作業者の生理活動のレベルについての平均値、報知作業者群における作業者の生理活動のレベルについての平均値に関するランキング、報知作業者群におけるそれぞれの作業者の生理活動のレベルについての最大値、報知作業者群における作業者の生理活動のレベルについての最大値に関するランキング、報知作業者群におけるそれぞれの作業者の生理活動のレベルについての最小値、報知作業者群における作業者の生理活動のレベルについての最小値に関するランキング並びに報知作業者群におけるそれぞれの作業者の生理活動の履歴のうち少なくとも１つを含む。
【００１３】
したがって、報知作業者群の覚醒度等関連情報に基づいて、加工情報を詳細に生成することができる。
なお、生理活動は、例えば、交感神経及び副交感神経の活動、心拍、脳波、脈拍などである。
第４発明に係る作業者管理システムは、第１発明から第３発明のいずれかの作業者管理システムであって、報知作業者群は、所定のグループを複数だけ含む。所定のグループは、１以上の作業者を有する。覚醒度等関連情報は、作業者の生理活動に関する情報を含む。加工情報は、報知作業者群におけるそれぞれの所定のグループの生理活動のレベル、報知作業者群における所定のグループの生理活動のレベルに関するランキング、報知作業者群におけるそれぞれの所定のグループの生理活動のレベルについての頻度分布、報知作業者群におけるそれぞれの所定のグループの生理活動のレベルが出現する時間的な割合、報知作業者群におけるそれぞれの所定のグループの生理活動のレベルについての平均値、報知作業者群における所定のグループの生理活動のレベルについての平均値に関するランキング、報知作業者群におけるそれぞれの所定のグループの生理活動のレベルについての最大値、報知作業者群における所定のグループの生理活動のレベルについての最大値に関するランキング、報知作業者群におけるそれぞれの所定のグループの生理活動のレベルについての最小値並びに報知作業者群における所定のグループの生理活動のレベルについての最小値に関するランキングのうち少なくとも１つをさらに含む。
【００１４】
この作業者管理システムでは、覚醒度等関連情報が検知され得る。あるいは、覚醒度等関連情報が入力され得る。対象作業者の存在が、別の作業者と区別して検知され得る。受信部が、覚醒度等関連情報と作業者の存在の情報とをネットワーク等経由で受信する。覚醒度等関連情報が、作業者の生理活動に関する情報を含む。作業者の存在の情報と覚醒度等関連情報とが関連付けられ得る。生成部が、報知作業者群の覚醒度等関連情報に基づいて、加工情報を生成する。報知作業者群が、所定のグループを複数だけ含む。加工情報が、報知作業者群におけるそれぞれの所定のグループの生理活動のレベル、報知作業者群における所定のグループの生理活動のレベルに関するランキング、報知作業者群におけるそれぞれの所定のグループの生理活動のレベルについての頻度分布、報知作業者群におけるそれぞれの所定のグループの生理活動のレベルが出現する時間的な割合、報知作業者群におけるそれぞれの所定のグループの生理活動のレベルについての平均値、報知作業者群における所定のグループの生理活動のレベルについての平均値に関するランキング、報知作業者群におけるそれぞれの所定のグループの生理活動のレベルについての最大値、報知作業者群における所定のグループの生理活動のレベルについての最大値に関するランキング、報知作業者群におけるそれぞれの所定のグループの生理活動のレベルについての最小値並びに報知作業者群における所定のグループの生理活動のレベルについての最小値に関するランキングのうち少なくとも１つをさらに含む。
【００１５】
したがって、報知作業者群の覚醒度等関連情報に基づいて、加工情報を詳細に生成することができる。
なお、所定のグループの範囲は、例えば、全社であってもよいし、事業所全体であってもよいし、部門全体であってもよいし、複数の会社全体であってもよいし、複数の事業所全体であってもよいし、複数の部門全体であってもよいし、ビル全体であってもよいし、複数のビル全体であってもよいし、どのような範囲であってもよい。
【００１６】
第５発明に係る作業者管理システムは、第１発明から第４発明のいずれかの作業者管理システムであって、第１検知部をさらに備える。第１検知部は、覚醒度等関連情報を検知する。第１検知部と受信部とはネットワーク等を介して接続されている。
この作業者管理システムでは、第１検知部が、覚醒度等関連情報を検知する。対象作業者の存在が、別の作業者と区別して検知され得る。第１検知部と受信部とがネットワーク等を介して接続されている。受信部が、覚醒度等関連情報と作業者の存在の情報とをネットワーク等経由で受信する。作業者の存在の情報と覚醒度等関連情報とが関連付けられ得る。生成部が、報知作業者群の覚醒度等関連情報に基づいて、加工情報を生成する。
【００１７】
したがって、覚醒度等関連情報を検知してネットワーク等経由で受信するので、作業者の覚醒度等をネットワーク等経由で管理することができる。
第６発明に係る作業者管理システムは、第１発明から第５発明のいずれかの作業者管理システムであって、第２検知部と第１相関関係記憶部とをさらに備える。第２検知部は、対象作業者を別の作業者と区別して検知する。対象作業者は、複数の作業者のうちいずれかの作業者である。第１相関関係記憶部は、対象作業者の存在と覚醒度等関連情報との相関関係を記憶する。第２検知部と受信部とはネットワーク等を介して接続されている。
【００１８】
この作業者管理システムでは、第２検知部が、対象作業者を別の作業者と区別して検知する。第２検知部と受信部とがネットワーク等を介して接続されている。受信部が、覚醒度等関連情報と作業者の存在の情報とをネットワーク等経由で受信する。第１相関関係記憶部が、対象作業者の存在と覚醒度等関連情報との相関関係を記憶する。これにより、対象作業者の存在と覚醒度等関連情報とが関連付けられ得る。
【００１９】
したがって、対象作業者の存在を別の作業者と区別して検知してネットワーク等経由で受信するので、作業者の覚醒度等を作業者毎に管理することができる。
第７発明に係る作業者管理システムは、第２発明の作業者管理システムであって、報知部は、加工情報を表示することにより管理者等へ報知する、あるいは加工情報を音声で知らせることにより管理者等へ報知する。
【００２０】
この作業者管理システムでは、受信部が、覚醒度等関連情報と作業者の存在の情報とをネットワーク等経由で受信する。生成部が、報知作業者群の覚醒度等関連情報に基づいて、加工情報を生成する。報知部が、加工情報を受け取ることができる。報知部が、加工情報を表示することにより管理者等へ報知する、あるいは加工情報を音声で知らせることにより管理者等へ報知する。
【００２１】
したがって、加工情報を表示することにより管理者等へ報知する、あるいは加工情報を音声で知らせることにより管理者等へ報知するので、覚醒度等関連情報を報知作業者群について比較しながら管理者等へ報知することを容易にすることができる。
第８発明に係る作業者管理システムは、第６発明又は第７発明のいずれかの作業者管理システムであって、入力部と送信部とをさらに備える。入力部には、第１アドバイスが入力される。第１アドバイスは、対象作業者の覚醒度等関連情報に対する管理者等のアドバイスである。送信部は、ネットワーク等を経由して、第１アドバイスを端末装置へ送信する。端末装置は、対象作業者に閲覧される端末である。
【００２２】
この作業者管理システムでは、覚醒度等関連情報が検知され得る。あるいは、覚醒度等関連情報が入力され得る。対象作業者の存在が、別の作業者と区別して検知され得る。受信部が、覚醒度等関連情報と作業者の存在の情報とをネットワーク等経由で受信する。作業者の存在の情報と覚醒度等関連情報とが関連付けられ得る。生成部が、報知作業者群の覚醒度等関連情報に基づいて、加工情報を生成する。加工情報が管理者等に把握され得る。加工情報に基づいて、第１アドバイスが決められ得る。入力部に、第１アドバイスが入力される。送信部が、ネットワーク等を経由して、第１アドバイスを端末装置へ送信する。
【００２３】
したがって、入力部に入力されたネットワーク等を経由して第１アドバイスを端末装置へ送信するので、対象作業者の覚醒度等が適度な値でない場合に、対象作業者へ覚醒度等の改善方法について提案することを容易にすることができる。
第９発明に係る作業者管理システムは、第８発明の作業者管理システムであって、集中管理部をさらに備える。集中管理部は、複数の作業者のうち少なくとも報知作業者群について、ネットワーク等を経由して、少なくとも覚醒度等関連情報を集中的に管理する。集中管理部は、第１アドバイスを選択する。送信部は、ネットワーク等を経由して、第１アドバイスを端末装置へ送信する。端末装置は、対象作業者に閲覧される端末である。
【００２４】
この作業者管理システムでは、入力部に、第１アドバイスがあらかじめ入力され得る。覚醒度等関連情報が検知され得る。あるいは、覚醒度等関連情報が入力され得る。対象作業者の存在が、別の作業者と区別して検知され得る。受信部が、覚醒度等関連情報と作業者の存在の情報とをネットワーク等経由で受信する。作業者の存在の情報と覚醒度等関連情報とが関連付けられ得る。生成部が、報知作業者群の覚醒度等関連情報に基づいて、加工情報を生成する。加工情報が管理者等に把握され得る。加工情報に基づいて、第１アドバイスが決られ得る。集中管理部が、第１アドバイスを選択する。送信部が、ネットワーク等を経由して、第１アドバイスを端末装置へ送信する。
【００２５】
したがって、ネットワーク等を経由して集中管理部が選択した第１アドバイスを端末装置へ送信するので、対象作業者の覚醒度等が適度な値でない場合に、対象作業者へ覚醒度等の改善方法について提案することを容易にすることができる。
第１０発明に係る作業者管理システムは、第１発明から第９発明のいずれかの作業者管理システムであって、第１入力部をさらに備える。第１入力部には、第１申告情報が入力される。第１申告情報は、覚醒度等関連情報に関する作業者の主観である。第１入力部と受信部とはネットワーク等を介して接続されている。
【００２６】
この作業者管理システムでは、第１入力部に、第１申告情報が入力される。第１申告情報が覚醒度等関連情報とされ得る。対象作業者の存在が、別の作業者と区別して検知され得る。第１入力部と受信部とがネットワーク等を介して接続されている。受信部が、第１申告情報を覚醒度等関連情報としてネットワーク等経由で受信することができる。受信部が、作業者の存在の情報をネットワーク等経由で受信する。作業者の存在の情報と覚醒度等関連情報とが関連付けられ得る。生成部が、報知作業者群の覚醒度等関連情報に基づいて、加工情報を生成する。
【００２７】
したがって、第１申告情報が入力され、第１申告情報を覚醒度等関連情報としてネットワーク等経由で受信することができるので、覚醒度等関連情報を確実に管理することができる。
第１１発明に係る作業者管理システムは、第１０発明の作業者管理システムであって、第２相関関係記憶部をさらに備える。第２相関関係記憶部は、第１検知部が検知した覚醒度等関連情報と第１入力部に入力された第１申告情報との相関関係を作業者毎に記憶する。
【００２８】
この作業者管理システムでは、第１検知部が、覚醒度等関連情報を検知する。第１入力部に、覚醒度等関連情報が入力される。対象作業者の存在が、別の作業者と区別して検知され得る。第１検知部と受信部とがネットワーク等を介して接続されている。第１入力部と受信部とがネットワーク等を介して接続されている。受信部が、覚醒度等関連情報と作業者の存在の情報とをネットワーク等経由で受信する。受信部が、第１申告情報をネットワーク等経由でさらに受信することができる。第２相関関係記憶部が、第１検知部が検知した覚醒度等関連情報と第１入力部に入力された第１申告情報と作業者の存在の情報とを受け取ることができる。第２相関関係記憶部が、第１検知部が検知した覚醒度等関連情報と第１入力部に入力された第１申告情報との相関関係を作業者毎に記憶する。
【００２９】
したがって、第１検知部が検知した覚醒度等関連情報と第１入力部に入力された第１申告情報との相関関係を作業者毎に記憶するので、覚醒度等の個人差を管理することができる。
第１２発明に係る作業者管理システムは、第２発明の作業者管理システムであって、第３検知部をさらに備える。第３検知部は、作業者の状態を検知する。第３検知部と受信部とはネットワーク等を介して接続されている。報知部は、加工情報を作業者の状態とともに管理者等へ報知する。
【００３０】
この作業者管理システムでは、覚醒度等関連情報が検知され得る。あるいは、覚醒度等関連情報が入力され得る。対象作業者の存在が、別の作業者と区別して検知され得る。受信部が、覚醒度等関連情報と作業者の存在の情報とをネットワーク等経由で受信する。作業者の存在の情報と覚醒度等関連情報とが関連付けられ得る。生成部が、報知作業者群の覚醒度等関連情報に基づいて、加工情報を生成する。第３検知部が、作業者の状態を検知する。第３検知部と受信部とがネットワーク等を介して接続されている。受信部が、作業者の状態の情報をネットワーク等経由でさらに受信することができる。報知部が、加工情報を受け取ることができる。報知部が、作業者の状態の情報を受け取ることができる。報知部が、加工情報を作業者の状態とともに管理者等へ報知する。
【００３１】
したがって、覚醒度等関連情報と作業者の状態との関係を管理することができるので、作業者の覚醒度等が作業者の状態に応じて適切であるか否かを管理することができる。このため、作業者の状態に適した作業者の覚醒度等の改善方法を提案することができる。
第１３発明に係る作業者管理システムは、第２発明の作業者管理システムであって、第３検知部をさらに備える。第３検知部は、作業者の状態を検知する。第３検知部と受信部とはネットワーク等を介して接続されている。入力部には、作業者の状態に基づいて、好適範囲が入力される。好適範囲は、作業者の状態に適した覚醒度等関連情報の範囲である。報知部は、加工情報を、作業者の状態及び好適範囲とともに管理者等へ報知する、あるいは、好適範囲とともに管理者等へ報知する。
【００３２】
この作業者管理システムでは、覚醒度等関連情報が検知され得る。あるいは、覚醒度等関連情報が入力され得る。対象作業者の存在が、別の作業者と区別して検知され得る。受信部が、覚醒度等関連情報と作業者の存在の情報とをネットワーク等経由で受信する。作業者の存在の情報と覚醒度等関連情報とが関連付けられ得る。第３検知部が、作業者の状態を検知する。第３検知部と受信部とがネットワーク等を介して接続されている。受信部が、作業者の状態の情報をネットワーク等経由でさらに受信することができる。入力部に、作業者の状態に基づいて、好適範囲が入力される。生成部が、報知作業者群の覚醒度等関連情報と好適範囲の情報とに基づいて、加工情報を生成する。報知部が、加工情報を受け取ることができる。報知部が、好適範囲の情報を受け取ることができる。報知部が、作業者の状態の情報を受け取ることができる。報知部が、加工情報を、作業者の状態及び好適範囲とともに管理者等へ報知する。あるいは、報知部が、加工情報を、好適範囲とともに管理者等へ報知する。
【００３３】
したがって、好適範囲が入力されるので、作業者の覚醒度等が作業者の状態に応じて適切であるか否かについて管理することを容易にすることができる。
第１４発明に係る作業者管理システムは、第１３発明の作業者管理システムであって、加工情報は、報知作業者群におけるそれぞれの作業者の生理活動が好適範囲を外れた連続時間、報知作業者群における作業者の生理活動が好適範囲を外れた連続時間に関するランキング、報知作業者群におけるそれぞれの作業者の生理活動が好適範囲を外れた累積時間、報知作業者群における作業者の生理活動が好適範囲を外れた累積時間に関するランキング、報知作業者群におけるそれぞれの所定のグループの生理活動が好適範囲を外れた連続時間、報知作業者群における所定のグループの生理活動が好適範囲を外れた連続時間に関するランキング、報知作業者群におけるそれぞれの所定のグループの生理活動が好適範囲を外れた累積時間並びに報知作業者群における所定のグループの生理活動が好適範囲を外れた累積時間に関するランキングのうち少なくとも１つを含む。
【００３４】
この作業者管理システムでは、覚醒度等関連情報が検知され得る。あるいは、覚醒度等関連情報が入力され得る。覚醒度等関連情報が、作業者の生理活動に関する情報を含む。対象作業者の存在が、別の作業者と区別して検知され得る。受信部が、覚醒度等関連情報と作業者の存在の情報とをネットワーク等経由で受信する。作業者の存在の情報と覚醒度等関連情報とが関連付けられ得る。第３検知部が、作業者の状態を検知する。第３検知部と受信部とがネットワーク等を介して接続されている。受信部が、作業者の状態の情報をネットワーク等経由でさらに受信することができる。入力部に、作業者の状態に基づいて、好適範囲が入力される。生成部が、報知作業者群の覚醒度等関連情報と好適範囲の情報とに基づいて、加工情報を生成する。加工情報が、報知作業者群におけるそれぞれの作業者の生理活動が好適範囲を外れた連続時間、報知作業者群における作業者の生理活動が好適範囲を外れた連続時間に関するランキング、報知作業者群におけるそれぞれの作業者の生理活動が好適範囲を外れた累積時間、報知作業者群における作業者の生理活動が好適範囲を外れた累積時間に関するランキング、報知作業者群におけるそれぞれの所定のグループの生理活動が好適範囲を外れた連続時間、報知作業者群における所定のグループの生理活動が好適範囲を外れた連続時間に関するランキング、報知作業者群におけるそれぞれの所定のグループの生理活動が好適範囲を外れた累積時間並びに報知作業者群における所定のグループの生理活動が好適範囲を外れた累積時間に関するランキングのうち少なくとも１つを含む。
【００３５】
したがって、報知作業者群の覚醒度等関連情報に基づいて、加工情報を詳細に生成することができる。
第１５発明に係る作業者管理システムは、第１２発明から第１４発明のいずれかの作業者管理システムであって、第３検知部は、作業者の状態として、作業者の作業の種類を検知する。
【００３６】
この作業者管理システムでは、第３検知部が、作業者の状態として、作業者の作業の種類を検知する。第３検知部と受信部とがネットワーク等を介して接続されている。受信部が、作業者の状態の情報をネットワーク等経由でさらに受信することができる。報知部が、加工情報を受け取ることができる。報知部が、作業者の状態の情報を受け取ることができる。報知部が、加工情報を作業者の状態とともに管理者等へ報知する。
【００３７】
したがって、作業者の作業の種類とともに、加工情報を管理者等へ報知することができる。
なお、作業の種類は、例えば、単純な作業と複雑な作業とである。複雑な作業は、例えば、ＣＡＤによる設計作業であってもよいし、ソフトウェアのプログラミング作業であってもよいし、特許明細書の作成作業であってもよい。単純な作業は、例えば、データベースへの入力作業であってもよいし、事務書類作成作業であってもよいし、伝票の入力作業であってもよいし、文書のワープロでの清書作業であってもよい。
【００３８】
第１６発明に係る作業者管理システムは、第１２発明から第１５発明のいずれかに記載の作業者管理システムであって、第３検知部は、作業者の状態として、作業者の作業の経過時間、作業者の作業の残勤務時間、作業者の動作量、作業者の在席の連続時間及び作業者の在席の累積時間のうち少なくとも１つを検知する。
この作業者管理システムでは、第３検知部が、作業者の状態として、作業者の作業の経過時間、作業者の作業の残勤務時間、作業者の動作量、作業者の在席の連続時間及び作業者の在席の累積時間のうち少なくとも１つを検知する。第３検知部と受信部とがネットワーク等を介して接続されている。受信部が、作業者の状態の情報をネットワーク等経由でさらに受信する。報知部が、加工情報を受け取ることができる。報知部が、作業者の状態の情報を受け取ることができる。報知部が、加工情報を作業者の状態とともに報知する。
【００３９】
したがって、作業者の作業の経過時間、作業者の作業の残勤務時間、作業者の動作量、作業者の在席の連続時間及び作業者の在席の累積時間のうち少なくとも１つとともに、加工情報を管理者等へ報知することができる。
第１７発明に係る作業者管理システムは、第１２発明から第１６発明のいずれかの作業者管理システムであって、第３検知部は、作業者の状態として、作業者の周囲の環境を検知する。
【００４０】
この作業者管理システムでは、第３検知部が、作業者の状態として、作業者の周囲の環境を検知する。第３検知部と受信部とがネットワーク等で接続されている。受信部が、作業者の状態の情報をネットワーク等経由でさらに受信する。報知部が、加工情報を受け取ることができる。報知部が、作業者の状態の情報を受け取ることができる。報知部が、加工情報を作業者の状態とともに管理者等へ報知する。
【００４１】
したがって、作業者の周囲の環境とともに、加工情報を管理者等へ報知することができる。
第１８発明に係る作業者管理システムは、第１２発明から第１７発明のいずれかの作業者管理システムであって、入力部と送信部とをさらに備える。入力部には、第２アドバイスが入力される。第２アドバイスは、対象作業者の覚醒度等関連情報に対する作業者の状態に基づく管理者等のアドバイスである。送信部は、ネットワーク等を経由して、第２アドバイスを端末装置へ送信する。端末装置は、対象作業者に閲覧される端末である。
【００４２】
この作業者管理システムでは、覚醒度等関連情報が検知され得る。あるいは、覚醒度等関連情報が入力され得る。対象作業者の存在が、別の作業者と区別して検知され得る。受信部が、覚醒度等関連情報と作業者の存在の情報とをネットワーク等経由で受信する。作業者の存在の情報と覚醒度等関連情報とが関連付けられ得る。生成部が、報知作業者群の覚醒度等関連情報と好適範囲の情報とに基づいて、加工情報を生成する。第３検知部が、作業者の状態を検知する。第３検知部と受信部とがネットワーク等を介して接続されている。受信部が、作業者の状態の情報をネットワーク等経由でさらに受信することができる。報知部が、加工情報を受け取ることができる。報知部が、作業者の状態の情報を受け取ることができる。報知部が、加工情報を作業者の状態とともに管理者等へ報知する。加工情報と作業者の状態とに基づいて、第２アドバイスが決められ得る。入力部に、第２アドバイスが入力される。送信部が、ネットワーク等を経由して、第２アドバイスを端末装置へ送信する。
【００４３】
したがって、入力部に入力された第２アドバイスをネットワーク等経由で対象作業者へ送信するので、対象作業者の覚醒度等が適度な値でない場合に、対象作業者へ覚醒度等の改善方法について提案することを容易にすることができる。
第１９発明に係る作業者管理システムは、第１８発明の作業者管理システムであって、集中管理部をさらに備える。集中管理部は、複数の作業者のうち少なくとも報知作業者群について、ネットワーク等を経由して、少なくとも覚醒度等関連情報を集中的に管理する。集中管理部は、第２アドバイスを選択する。送信部は、ネットワーク等を経由して、第２アドバイスを端末装置へ送信する。端末装置は、対象作業者に閲覧される端末である。
【００４４】
この作業者管理システムでは、入力部に、第２アドバイスがあらかじめ入力され得る。覚醒度等関連情報が検知され得る。あるいは、覚醒度等関連情報が入力され得る。対象作業者の存在が、別の作業者と区別して検知され得る。受信部が、覚醒度等関連情報と作業者の存在の情報とをネットワーク等経由で受信する。作業者の存在の情報と覚醒度等関連情報とが関連付けられ得る。生成部が、報知作業者群の覚醒度等関連情報と好適範囲の情報とに基づいて、加工情報を生成する。第３検知部が、作業者の状態を検知する。第３検知部と受信部とがネットワーク等を介して接続されている。受信部が、作業者の状態の情報をネットワーク等経由でさらに受信することができる。報知部が、加工情報を受け取ることができる。報知部が、作業者の状態の情報を受け取ることができる。報知部が、加工情報を作業者の状態とともに管理者等へ報知する。加工情報と作業者の状態とに基づいて、第２アドバイスが決められ得る。集中管理部が、第２アドバイスを選択する。送信部が、ネットワーク等を経由して、第２アドバイスを端末装置へ送信する。
【００４５】
したがって、集中管理部が選択した第２アドバイスをネットワーク等経由で対象作業者へ送信するので、対象作業者の覚醒度等が適度な値でない場合に、対象作業者へ覚醒度等の改善方法について提案することを容易にすることができる。
第２０発明に係る作業者管理システムは、第１３発明から第１９発明のいずれかの作業者管理システムであって、第３相関関係記憶部をさらに備える。第３相関関係記憶部は、覚醒度等関連情報と好適範囲との相関関係を作業者毎に記憶する。
【００４６】
この作業者管理システムでは、覚醒度等関連情報が検知され得る。あるいは、覚醒度等関連情報が入力され得る。対象作業者の存在が、別の作業者と区別して検知され得る。受信部が、覚醒度等関連情報と作業者の存在の情報とをネットワーク等経由で受信する。作業者の存在の情報と覚醒度等関連情報とが関連付けられ得る。第３検知部が、作業者の状態を検知する。第３検知部と受信部とがネットワーク等を介して接続されている。受信部が、作業者の状態の情報をネットワーク等経由でさらに受信することができる。入力部に、作業者の状態に基づいて、好適範囲が入力される。第３相関関係記憶部が、覚醒度等関連情報と作業者の存在の情報とを受け取ることができる。第３相関関係記憶部が、好適範囲の情報を受け取ることができる。第３相関関係記憶部が、覚醒度等関連情報と好適範囲との相関関係を作業者毎に記憶する。
【００４７】
したがって、覚醒度等関連情報と好適範囲との相関関係を作業者毎に記憶しているので、作業者の覚醒度等が適切であるか否かを作業者毎に管理することができる。
第２１発明に係る作業者管理システムは、第１３発明から第２０発明のいずれかの作業者管理システムであって、第３相関関係記憶部をさらに備える。第３相関関係記憶部は、覚醒度等関連情報と好適範囲との相関関係を作業者の状態毎に記憶する。
【００４８】
この作業者管理システムでは、覚醒度等関連情報が検知され得る。あるいは、覚醒度等関連情報が入力され得る。対象作業者の存在が、別の作業者と区別して検知され得る。受信部が、覚醒度等関連情報と作業者の存在の情報とをネットワーク等経由で受信する。作業者の存在の情報と覚醒度等関連情報とが関連付けられ得る。第３検知部が、作業者の状態を検知する。第３検知部と受信部とがネットワーク等を介して接続されている。受信部が、作業者の状態の情報をネットワーク等経由でさらに受信することができる。作業者の状態に基づいて、好適範囲を決められ得る。入力部に、作業者の状態に基づいて、好適範囲が入力される。第３相関関係記憶部が、覚醒度等関連情報を受け取ることができる。第３相関関係記憶部が、好適範囲の情報と作業者の状態の情報とを受け取ることができる。第３相関関係記憶部が、覚醒度等関連情報と好適範囲との相関関係を作業者の状態毎に記憶する。
【００４９】
したがって、覚醒度等関連情報と好適範囲との相関関係を作業者の状態毎に記憶しているので、作業者の覚醒度等が適切であるか否かを作業者の状態毎に管理することができる。
第２２発明に係る作業者管理システムは、第１３発明から第２１発明のいずれかに記載の作業者管理システムであって、第２入力部をさらに備える。第２入力部は、第２申告情報が入力される。第２申告情報は、好適範囲に関する作業者の主観である。第２入力部と受信部とはネットワーク等を介して接続されている。
【００５０】
この作業者管理システムでは、第２入力部に、第２申告情報が入力される。第２申告情報が好適範囲の情報とされ得る。第２入力部と受信部とがネットワーク等を介して接続されている。受信部が、好適範囲の情報をネットワーク等経由でさらに受信することができる。報知部が、好適範囲の情報を受け取ることができる。報知部が、加工情報を受け取ることができる。報知部が、加工情報を、作業者の状態及び好適範囲とともに管理者等へ報知する。あるいは、報知部が、加工情報を、好適範囲とともに管理者等へ報知する。
【００５１】
したがって、第２申告情報が入力され、第２申告情報を好適範囲の情報としてネットワーク等経由で受信することができるので、作業者の設定した好適範囲を管理することができる。
第２３発明に係る作業者管理システムは、第１２発明から第２２発明のいずれかの作業者管理システムであって、第３入力部をさらに備える。第３入力部には、第３申告情報が入力される。第３申告情報は、作業者の状態に関する作業者の主観又は申告である。第３入力部と受信部とはネットワーク等を介して接続されている。
【００５２】
この作業者管理システムでは、第３入力部に、第３申告情報が入力される。第３申告情報が作業者の状態の情報とされ得る。第３入力部と受信部とがネットワーク等を介して接続されている。受信部が、作業者の状態の情報をネットワーク等経由でさらに受信することができる。報知部が、加工情報を受け取ることができる。報知部が、作業者の状態の情報を受け取ることができる。報知部が、加工情報を作業者の状態とともに管理者等へ報知する。
【００５３】
したがって、第３申告情報が入力され、第３申告情報を作業者の状態の情報としてネットワーク等経由で受信することができるので、作業者の状態を確実に管理することができる。
第２４発明に係る作業者管理システムは、第１３発明から第２３発明のいずれかの作業者管理システムであって、第４検知部をさらに備える。第４検知部は、作業者の作業の成績を検知する。第４検知部と受信部とはネットワーク等を介して接続されている。入力部には、作業者の状態と作業者の作業の成績とに基づいて、好適範囲が入力される。
【００５４】
この作業者管理システムでは、第３検知部が、作業者の状態を検知する。第４検知部が、作業者の作業の成績を検知する。第３検知部と受信部とがネットワーク等を介して接続されている。第４検知部と受信部とがネットワーク等を介して接続されている。受信部が、作業者の状態の情報と作業者の作業の成績の情報とをネットワーク等経由でさらに受信することができる。入力部に、作業者の状態と作業者の作業の成績とに基づいて、好適範囲が入力される。
【００５５】
したがって、作業者の状態と作業者の作業の成績とに基づいて好適範囲が入力されるので、好適範囲を正確に決めて設定することができる。
第２５発明に係る作業者管理システムは、第２４発明に記載の作業者管理システムであって、第４入力部をさらに備える。第４入力部には、第４申告情報が入力される。第４申告情報は、作業者の作業の成績に関する作業者の主観である。第４入力部と受信部とはネットワーク等を介して接続されている。
【００５６】
この作業者管理システムでは、第３検知部が、作業者の状態を検知する。第４入力部に、第４申告情報が入力される。第４申告情報を作業者の作業の成績の情報とすることができる。第３検知部と受信部とがネットワーク等を介して接続されている。第４検知部と受信部とがネットワーク等を介して接続されている。受信部が、作業者の状態の情報と作業者の作業の成績の情報とをネットワーク等経由でさらに受信することができる。入力部に、作業者の状態と作業者の作業の成績とに基づいて、好適範囲が入力される。
【００５７】
したがって、第４申告情報が入力され、第４申告情報を作業者の作業の成績の情報としてネットワーク等経由で受信することができるので、作業者の作業の成績を確実に管理することができる。また、入力部に、作業者の状態と作業者の作業の成績とに基づいて、好適範囲が入力されるので、好適範囲の情報に基づいて作業者の覚醒度等が適切であるか否かを正確に管理することができる。
【００５８】
第２６発明に係る作業者管理システムは、第１発明から第２５発明のいずれかの作業者管理システムであって、第５入力部と第４相関関係記憶部とをさらに備える。第５入力部には、作業者の職種、作業者の業種、作業者の年齢、作業者の性別、作業者の勤務形態、作業者の通勤形態及び作業者の通勤時間の少なくとも１つ（以下、作業者の職種等とする）が入力される。第４相関関係記憶部は、作業者の職種等と覚醒度等関連情報との相関関係を記憶する。第５入力部と受信部とは、ネットワーク等を介して接続されている。
【００５９】
この作業者管理システムでは、覚醒度等関連情報が検知され得る。あるいは、覚醒度等関連情報が入力され得る。対象作業者の存在が、別の作業者と区別して検知され得る。第５入力部に、作業者の職種等が入力される。受信部が、覚醒度等関連情報と作業者の存在の情報とをネットワーク等経由で受信する。受信部が、作業者の職種等の情報をネットワーク等経由でさらに受信することができる。第４相関関係記憶部が、作業者の職種等の情報を受け取ることができる。第４相関関係記憶部が、覚醒度等関連情報を受け取ることができる。第４相関関係記憶部が、対象作業者の職種等と覚醒度等関連情報との相関関係を記憶する。生成部が、第４相関関係記憶部を参照することができる。生成部が、報知作業者群の覚醒度等関連情報に基づいて、加工情報を生成する。
【００６０】
したがって、作業者の職種等と覚醒度等関連情報との相関関係を記憶するので、作業者の職種等別に生成された加工情報を管理者等が把握することができる。このため、対象作業者の覚醒度等が適度な値でない場合に、その原因が対象作業者の個人的な原因であるのか対象作業者と別の作業者とに共通した原因であるのかを対象作業者の職種等別に判断することができる。あるいは、作業者の職種等を所定のグループとして所定のグループ間で比較した加工情報を生成することができる。このため、対象作業者の職種等の覚醒度等が適度な値でない場合に、その原因が対象作業者の職種等に特有の原因であるのか対象作業者の職種等と別の職種等とに共通した原因であるのかを判断することができる。
【００６１】
なお、作業者の勤務形態は、例えば、日勤、夜勤、二交代、三交代、裁量労働、在宅労働、フレックス勤務、短時間勤務、パートタイム勤務、アルバイト、日雇い、臨時雇い、派遣勤務、契約勤務などである。
第２７発明に係る作業者管理装置は、ネットワーク等を経由して複数の作業者を管理する作業者管理装置であって、受信部と生成部とを備える。受信部は、覚醒度等関連情報と作業者の存在の情報とをネットワーク等を経由して受信する。覚醒度等関連情報は、作業者の覚醒度、作業者の疲労度及び作業者のストレス度の少なくとも１つに関する情報である。生成部は、報知作業者群の覚醒度等関連情報に基づいて、加工情報を生成する。報知作業者群は、複数の作業者のうち２以上の作業者を含む。加工情報は、覚醒度等関連情報に基づいて加工された情報であり、報知作業者群に関する情報である。
【００６２】
この作業者管理装置では、受信部が、検知された又は入力された覚醒度等関連情報と、検知された又は入力された作業者の存在の情報とを、ネットワーク等経由で受信する。作業者の存在の情報と覚醒度等関連情報とが関連付けられ得る。生成部が、報知作業者群の覚醒度等関連情報に基づいて、加工情報を生成する。
したがって、覚醒度等関連情報を報知作業者群について比較しながら把握することができるので、対象作業者の覚醒度等が適度な値でない場合に、その原因が対象作業者の個人的な原因であるのか対象作業者と別の作業者とに共通した原因であるのかを判断することができる。このため、覚醒度等が適度な値でない作業者に覚醒度等の改善方法について提案することを容易にすることができるので、作業者の生産性を向上することができる。
【００６３】
なお、対象作業者は、複数の作業者のうちいずれかの作業者である。別の作業者は、複数の作業者のうち対象作業者以外の１以上の作業者である。報知作業者群は、対象作業者と別の作業者とを含む。覚醒度等関連情報は、検知された情報でもよいし、入力された情報でもよい。報知作業者群の範囲は、例えば、全社であってもよいし、事業所全体であってもよいし、部門全体であってもよいし、複数の会社全体であってもよいし、複数の事業所全体であってもよいし、複数の部門全体であってもよいし、ビル全体であってもよいし、複数のビル全体であってもよいし、どのような範囲であってもよい。
【００６４】
第２８発明に係る作業者管理方法は、ネットワーク等を経由して複数の作業者が管理される作業者管理方法であって、受信ステップと生成ステップとを備える。受信ステップでは、覚醒度等関連情報と作業者の存在の情報とがネットワーク等を経由して受信される。覚醒度等関連情報は、作業者の覚醒度、作業者の疲労度及び作業者のストレス度の少なくとも１つに関する情報である。生成ステップでは、報知作業者群の覚醒度等関連情報に基づいて、加工情報が生成される。報知作業者群は、複数の作業者のうち２以上の作業者を含む。加工情報は、報知作業者群に関する情報である。
【００６５】
この作業者管理方法では、覚醒度等関連情報が検知され得る。あるいは、覚醒度等関連情報が入力され得る。対象作業者の存在が、別の作業者と区別して検知され得る。受信ステップにおいて、覚醒度等関連情報と作業者の存在の情報とがネットワーク等経由で受信される。作業者の存在の情報と覚醒度等関連情報とが関連付けられ得る。生成ステップにおいて、報知作業者群の覚醒度等関連情報に基づいて、加工情報が生成される。
【００６６】
したがって、覚醒度等関連情報を報知作業者群について比較しながら把握することができるので、対象作業者の覚醒度等が適度な値でない場合に、その原因が対象作業者の個人的な原因であるのか対象作業者と別の作業者とに共通した原因であるのかを判断することができる。このため、覚醒度等が適度な値でない作業者に覚醒度等の改善方法について提案することを容易にすることができるので、作業者の生産性を向上することができる。
【００６７】
なお、対象作業者は、複数の作業者のうちいずれかの作業者である。別の作業者は、複数の作業者のうち対象作業者以外の１以上の作業者である。報知作業者群は、対象作業者と別の作業者とを含む。覚醒度等関連情報は、検知された情報でもよいし、入力された情報でもよい。報知作業者群の範囲は、例えば、全社であってもよいし、事業所全体であってもよいし、部門全体であってもよいし、複数の会社全体であってもよいし、複数の事業所全体であってもよいし、複数の部門全体であってもよいし、ビル全体であってもよいし、複数のビル全体であってもよいし、どのような範囲であってもよい。
【００６８】
第２９発明に係る作業者管理プログラムは、ネットワーク等を経由して複数の作業者をコンピュータに管理させる作業者管理プログラムであって、受信ステップと生成ステップとを備える。受信ステップでは、覚醒度等関連情報と作業者の存在の情報とがネットワーク等を経由して受信される。覚醒度等関連情報は、作業者の覚醒度、作業者の疲労度及び作業者のストレス度の少なくとも１つに関する情報である。生成ステップでは、報知作業者群の覚醒度等関連情報に基づいて、加工情報が生成される。報知作業者群は、複数の作業者のうち２以上の作業者を含む。加工情報は、報知作業者群に関する情報である。
【００６９】
この作業者管理プログラムでは、覚醒度等関連情報が検知され得る。あるいは、覚醒度等関連情報が入力され得る。対象作業者の存在が、別の作業者と区別して検知され得る。受信ステップにおいて、覚醒度等関連情報と作業者の存在の情報とがネットワーク等経由で受信される。作業者の存在の情報と覚醒度等関連情報とが関連付けられ得る。生成ステップにおいて、報知作業者群の覚醒度等関連情報に基づいて、加工情報が生成される。
【００７０】
したがって、覚醒度等関連情報を報知作業者群について比較しながら把握することができるので、対象作業者の覚醒度等が適度な値でない場合に、その原因が対象作業者の個人的な原因であるのか対象作業者と別の作業者とに共通した原因であるのかを判断することができる。このため、覚醒度等が適度な値でない作業者に覚醒度等の改善方法について提案することを容易にすることができるので、作業者の生産性を向上することができる。
【００７１】
なお、対象作業者は、複数の作業者のうちいずれかの作業者である。別の作業者は、複数の作業者のうち対象作業者以外の１以上の作業者である。報知作業者群は、対象作業者と別の作業者とを含む。覚醒度等関連情報は、検知された情報でもよいし、入力された情報でもよい。報知作業者群の範囲は、例えば、全社であってもよいし、事業所全体であってもよいし、部門全体であってもよいし、複数の会社全体であってもよいし、複数の事業所全体であってもよいし、複数の部門全体であってもよいし、ビル全体であってもよいし、複数のビル全体であってもよいし、どのような範囲であってもよい。
【発明の効果】
【００７２】
第１発明に係る作業者管理システムでは、覚醒度等関連情報を報知作業者群について比較しながら報知することができるので、対象作業者の覚醒度等が適度な値でない場合に、その原因が対象作業者の個人的な原因であるのか対象作業者と別の作業者とに共通した原因であるのかを判断することができる。このため、覚醒度等が適度な値でない作業者に覚醒度等の改善方法について提案することを容易にすることができるので、作業者の生産性を向上することができる。
【００７３】
第２発明に係る作業者管理システムでは、管理者等へ加工情報を報知するので、管理者等が複数の作業者をネットワーク等経由で管理することを容易にすることができる。
第３発明に係る作業者管理システムでは、報知作業者群の覚醒度等関連情報に基づいて、加工情報を詳細に生成することができる。
第４発明に係る作業者管理システムでは、報知作業者群の覚醒度等関連情報に基づいて、加工情報を詳細に生成することができる。
【００７４】
第５発明に係る作業者管理システムでは、覚醒度等関連情報を検知してネットワーク等経由で受信するので、作業者の覚醒度等をネットワーク等経由で管理することができる。
第６発明に係る作業者管理システムでは、対象作業者の存在を別の作業者と区別して検知してネットワーク等経由で受信するので、作業者の覚醒度等を作業者毎に管理することができる。
【００７５】
第７発明に係る作業者管理システムでは、加工情報を表示することにより管理者等へ報知する、あるいは加工情報を音声で知らせることにより管理者等へ報知するので、覚醒度等関連情報を報知作業者群について比較しながら管理者等へ報知することを容易にすることができる。
第８発明に係る作業者管理システムでは、入力部に入力されたネットワーク等を経由して第１アドバイスを端末装置へ送信するので、対象作業者の覚醒度等が適度な値でない場合に、対象作業者へ覚醒度等の改善方法について提案することを容易にすることができる。
【００７６】
第９発明に係る作業者管理システムでは、ネットワーク等を経由して集中管理部が選択した第１アドバイスを端末装置へ送信するので、対象作業者の覚醒度等が適度な値でない場合に、対象作業者へ覚醒度等の改善方法について提案することを容易にすることができる。
第１０発明に係る作業者管理システムでは、第１申告情報が入力され、第１申告情報を覚醒度等関連情報としてネットワーク等経由で受信することができるので、覚醒度等関連情報を確実に管理することができる。
【００７７】
第１１発明に係る作業者管理システムでは、第１検知部が検知した覚醒度等関連情報と第１入力部に入力された第１申告情報との相関関係を作業者毎に記憶するので、覚醒度等の個人差を管理することができる。
第１２発明に係る作業者管理システムでは、覚醒度等関連情報と作業者の状態との関係を管理することができるので、作業者の覚醒度等が作業者の状態に応じて適切であるか否かを管理することができる。このため、作業者の状態に適した作業者の覚醒度等の改善方法を提案することができる。
【００７８】
第１３発明に係る作業者管理システムでは、好適範囲が入力されるので、作業者の覚醒度等が作業者の状態に応じて適切であるか否かについて管理することを容易にすることができる。
第１４発明に係る作業者管理システムでは、報知作業者群の覚醒度等関連情報に基づいて、加工情報を詳細に生成することができる。
【００７９】
第１５発明に係る作業者管理システムでは、作業者の作業の種類とともに、加工情報を管理者等へ報知することができる。
第１６発明に係る作業者管理システムでは、作業者の作業の経過時間、作業者の作業の残勤務時間、作業者の動作量、作業者の在席の連続時間及び作業者の在席の累積時間のうち少なくとも１つとともに、加工情報を管理者等へ報知することができる。
【００８０】
第１７発明に係る作業者管理システムでは、作業者の周囲の環境とともに、加工情報を管理者等へ報知することができる。
第１８発明に係る作業者管理システムでは、入力部に入力された第２アドバイスをネットワーク等経由で対象作業者へ送信するので、対象作業者の覚醒度等が適度な値でない場合に、対象作業者へ覚醒度等の改善方法について提案することを容易にすることができる。
【００８１】
第１９発明に係る作業者管理システムでは、集中管理部が選択した第２アドバイスをネットワーク等経由で対象作業者へ送信するので、対象作業者の覚醒度等が適度な値でない場合に、対象作業者へ覚醒度等の改善方法について提案することを容易にすることができる。
第２０発明に係る作業者管理システムでは、覚醒度等関連情報と好適範囲との相関関係を作業者毎に記憶しているので、作業者の覚醒度等が適切であるか否かを作業者毎に管理することができる。
【００８２】
第２１発明に係る作業者管理システムでは、覚醒度等関連情報と好適範囲との相関関係を作業者の状態毎に記憶しているので、作業者の覚醒度等が適切であるか否かを作業者の状態毎に管理することができる。
第２２発明に係る作業者管理システムでは、第２申告情報が入力され、第２申告情報を好適範囲の情報としてネットワーク等経由で受信することができるので、作業者の設定した好適範囲を管理することができる。
【００８３】
第２３発明に係る作業者管理システムでは、第３申告情報が入力され、第３申告情報を作業者の状態の情報としてネットワーク等経由で受信することができるので、作業者の状態を確実に管理することができる。
第２４発明に係る作業者管理システムでは、作業者の状態と作業者の作業の成績とに基づいて好適範囲が入力されるので、好適範囲を正確に決めて設定することができる。
【００８４】
第２５発明に係る作業者管理システムでは、第４申告情報が入力され、第４申告情報を作業者の作業の成績の情報としてネットワーク等経由で受信することができるので、作業者の作業の成績を確実に管理することができる。また、入力部に、作業者の状態と作業者の作業の成績とに基づいて、好適範囲が入力されるので、好適範囲の情報に基づいて作業者の覚醒度等が適切であるか否かを正確に管理することができる。
【００８５】
第２６発明に係る作業者管理システムでは、作業者の職種等と覚醒度等関連情報との相関関係を記憶するので、作業者の職種等別に加工情報を生成することができる。このため、対象作業者の覚醒度等が適度な値でない場合に、その原因が対象作業者の個人的な原因であるのか対象作業者と別の作業者とに共通した原因であるのかを作業者の職種等別に判断することができる。あるいは、作業者の職種等を所定のグループとして所定のグループ間で比較した加工情報を生成することができる。このため、対象作業者の職種等の覚醒度等が適度な値でない場合に、その原因が対象作業者の職種等に特有の原因であるのか対象作業者の職種等と別の職種等とに共通した原因であるのかを判断することができる。
【００８６】
第２７発明に係る作業者管理装置では、覚醒度等関連情報を報知作業者群について比較しながら報知することができるので、対象作業者の覚醒度等が適度な値でない場合に、その原因が対象作業者の個人的な原因であるのか対象作業者と別の作業者とに共通した原因であるのかを判断することができる。このため、覚醒度等が適度な値でない作業者に覚醒度等の改善方法について提案することを容易にすることができるので、作業者の生産性を向上することができる。
【００８７】
第２８発明に係る作業者管理方法では、覚醒度等関連情報を報知作業者群について比較しながら報知することができるので、対象作業者の覚醒度等が適度な値でない場合に、その原因が対象作業者の個人的な原因であるのか対象作業者と別の作業者とに共通した原因であるのかを判断することができる。このため、覚醒度等が適度な値でない作業者に覚醒度等の改善方法について提案することを容易にすることができるので、作業者の生産性を向上することができる。
【００８８】
第２９発明に係る作業者管理プログラムでは、覚醒度等関連情報を報知作業者群について比較しながら報知することができるので、対象作業者の覚醒度等が適度な値でない場合に、その原因が対象作業者の個人的な原因であるのか対象作業者と別の作業者とに共通した原因であるのかを判断することができる。このため、覚醒度等が適度な値でない作業者に覚醒度等の改善方法について提案することを容易にすることができるので、作業者の生産性を向上することができる。
【発明を実施するための最良の形態】
【００８９】
［第１実施形態］
本発明の第１実施形態に係る作業者管理システム１の構成図を図１〜図３に示す。図１に示す作業者管理システム１は、主として複数の作業者Ｐａ，Ｐｂ，・・・をネットワーク８０経由で管理するためのシステムである。
＜作業者管理システム１の全体構成＞
図１に示す作業者管理システム１は、主として管理センタ１０，端末装置群４０（４０ａ，４０ｂ，・・・）及びネットワーク８０を備える。管理センタ１０と端末装置群４０（４０ａ，４０ｂ，・・・）とは、ネットワーク８０で接続されている。なお、端末装置４０ａ，４０ｂ，・・・は、それぞれ、対象作業者Ｐａ，Ｐｂ，・・・が使用する端末装置である。対象作業者Ｐａ，Ｐｂ，・・・は、複数の作業者Ｐａ，Ｐｂ，・・・のうちいずれかの作業者である。
【００９０】
＜管理センタ１０の構成＞
図１に示す管理センタ１０は、図２に示すように、主として送受信部１１，集中管理部１２，生成部１３，報知部１５及び第１相関関係記憶部１７を備える。
図２に示す送受信部１１が、覚醒度等関連情報（図５参照）と作業者Ｐａ，Ｐｂ，・・・の存在の情報とをネットワーク８０経由で受信する。ここで、覚醒度等関連情報（図５参照）は、作業者の覚醒度に関する情報である。送受信部１１が、覚醒度等関連情報（図５参照）と作業者Ｐａ，Ｐｂ，・・・の存在の情報とを集中管理部１２へ渡す。集中管理部１２が、複数の作業者Ｐａ，Ｐｂ，・・・のうち報知作業者群（Ｐａ，Ｐｂ，・・・）について、覚醒度等関連情報（図５参照）をネットワーク８０経由で集中的に管理する。ここで、報知作業者群（Ｐａ，Ｐｂ，・・・）は、管理者へ報知する対象となる作業者群であり、複数の作業者Ｐａ，Ｐｂ，・・・のうち２以上の作業者を含む。管理者は、複数の作業者Ｐａ，Ｐｂ，・・・をネットワーク８０経由で管理する者である。
【００９１】
第１相関関係記憶部１７が、作業者Ｐａ，Ｐｂ，・・・の存在の情報と覚醒度等関連情報（図５参照）とを集中管理部１２から受け取る。第１相関関係記憶部１７が、作業者Ｐａ，Ｐｂ，・・・の存在と覚醒度等関連情報（図５参照）との相関関係（図６参照）を記憶する。これにより、作業者Ｐａ，Ｐｂ，・・・の存在と覚醒度等関連情報（図５参照）とが関連付けられる。生成部１３が、報知作業者群（Ｐａ，Ｐｂ，・・・）の覚醒度等関連情報（図５参照）を集中管理部１２から受け取る。生成部１３が、報知作業者群（Ｐａ，Ｐｂ，・・・）の覚醒度等関連情報（図５参照）に基づいて、加工情報（図７参照）を生成する。ここで、加工情報（図７参照）は、報知作業者群（Ｐａ，Ｐｂ，・・・）に関する情報である。報知部１５が、加工情報（図７参照）を生成部１３から受け取る。報知部１５が、加工情報（図７参照）を管理者へ報知する。すなわち、加工情報（図７参照）が管理センタ１０の表示画面（図示せず）に映し出される。
【００９２】
＜端末装置群４０（４０ａ，４０ｂ，・・・）の構成＞
図１に示す端末装置４０ａは、図３に示すように、主として送受信部４１ａ，制御部４２ａ，第１検知部４４ａ及び第２検知部４５ａを備える。端末装置４０ａは、対象作業者Ｐａに閲覧される端末である。
図３に示す第１検知部４４ａが、覚醒度等関連情報（図５参照）を検知する。第１検知部４４ａは、例えば、対象作業者Ｐａの心電波形（図示せず）を計測し、心電波形において鋭いピークを示すＲ波を検知する。ここで、対象作業者Ｐａは、端末装置４０ａを使用する作業者である。心電波形とは、対象作業者Ｐａの心臓の電位の時間的な変化を、対象作業者Ｐａに接触して又は非接触で計測したものである。第１検知部４４ａは、Ｒ波の間隔の時間的な変化を周波数解析して、Ｒ波の間隔の変動のスペクトル９１ａ（図５参照）すなわち覚醒度等関連情報（図５参照）を得る。制御部４２ａが、覚醒度等関連情報（図５参照）を第１検知部４４ａから受け取る。第２検知部４５ａが、対象作業者Ｐａの存在を別の作業者Ｐｂ，・・・と区別して検知する。ここで、別の作業者は、複数の作業者Ｐａ，Ｐｂ，・・・のうち対象作業者Ｐａ以外の１以上の作業者である。上記の報知作業者群（Ｐａ，Ｐｂ，・・・）は、複数の作業者Ｐａ，Ｐｂ，・・・のうち２以上の作業者、すなわち対象作業者Ｐａと別の作業者Ｐｂ，・・・とを含む。制御部４２ａが、対象作業者Ｐａの存在の情報を第２検知部４５ａから受け取る。制御部４２ａが、覚醒度等関連情報（図５参照）と対象作業者Ｐａの存在の情報とを送受信部４１ａへ渡す。送受信部４１ａが、覚醒度等関連情報（図５参照）と対象作業者Ｐａの存在の情報とを、ネットワーク８０経由で送信する。
【００９３】
対象作業者Ｐｂ，・・・が使用する端末装置４０ｂ，・・・も、端末装置４０ａと同様である。
＜覚醒度等関連情報の構成＞
図５に示すスペクトル９１ａ、すなわち覚醒度等関連情報は、作業者Ｐａの覚醒度に関する情報である。図５に示すスペクトル９１ａ、すなわち覚醒度等関連情報において、縦軸はＰＳＤ（Ｐｏｗｅｒ  Ｓｐｅｃｔｒｅ  Ｄｅｎｓｉｔｙ；パワースペクトル密度）であり、横軸は周波数である。図５に示すスペクトル９１ａ、すなわち覚醒度等関連情報において、０．１Ｈｚ前後のピークがＭＷＳＡ（Ｍａｙｅｒ  Ｗａｖｅ  ｒｅｌａｔｅｄ  Ｓｉｎｕｓ  Ａｒｒｈｙｔｈｍｉａ；血圧性変動）と一般に呼ばれ、そのＰＳＤ強度が交感神経と副交感神経との活動レベルの大きさを示す。また、０．３Ｈｚ前後のピークがＲＳＡ（Ｒｅｓｐｉｒａｔｏｒｙ  ｒｅｌａｔｅｄ  Ｓｉｎｕｓ  Ａｒｒｈｙｔｈｍｉａ；呼吸性変動）と一般に呼ばれ、そのＰＳＤ強度が副交感神経の活動レベルの大きさを示す。
【００９４】
スペクトル９１ｂ，・・・、すなわち作業者Ｐｂ，・・・の覚醒度等関連情報も、スペクトル９１ａと同様である。
＜第１相関関係記憶部１７の構成＞
図２に示す第１相関関係記憶部１７は、図６に示すように、主として作業者欄１７１と覚醒度等関連情報欄１７２とを備える。
【００９５】
作業者欄１７１には、対象作業者Ｐａを別の作業者Ｐｂ，・・・と区別するための情報が記憶されている。覚醒度等関連情報欄１７２には、覚醒度に関する情報が記憶されている。例えば、図６に示す相関関係が参照されることにより、対象作業者Ｐａの覚醒度等関連情報がグラフ９１ａ（図５参照）であることが決められる。
＜加工情報の構成＞
図２に示す生成部１３が生成する加工情報は、例えば、図７に示すグラフ９２ａ，９２ｂ，・・・，９３ａ，９３ｂ，・・・である。
【００９６】
グラフ９２ａは、作業者Ｐａの覚醒度等関連情報（図５参照）を加工したものであり、スペクトル９１ａ（図５参照）のＭＷＳＡのＰＳＤ強度を棒グラフで示したものである。グラフ９２ａにおいて、縦軸が活動レベルを示し、横軸が「交感＆副交感活動」を示している。グラフ９２ｂは、作業者Ｐｂの覚醒度等関連情報（図５参照）を加工したものであり、スペクトル９１ｂ（図５参照）のＭＷＳＡのＰＳＤ強度を棒グラフで示したものである。グラフ９２ｂにおいて、縦軸が活動レベルを示し、横軸が「交感＆副交感活動」を示している。グラフ９３ａは、作業者Ｐａの覚醒度等関連情報（図５参照）を加工したものであり、スペクトル９１ａ（図５参照）のＲＳＡのＰＳＤ強度を棒グラフで示したものである。グラフ９３ａにおいて、縦軸が活動レベルを示し、横軸が「副交感活動」を示している。グラフ９３ｂは、作業者Ｐｂの覚醒度等関連情報（図５参照）を加工したものであり、スペクトル９１ｂ（図５参照）のＲＳＡのＰＳＤ強度を棒グラフで示したものである。グラフ９３ｂにおいて、縦軸が活動レベルを示し、横軸が「副交感活動」を示している。
【００９７】
＜作業者管理システム１が複数の作業者Ｐａ，Ｐｂ，・・・をネットワーク８０経由で管理する処理の流れ＞
図１に示す作業者管理システム１が複数の作業者Ｐａ，Ｐｂ，・・・をネットワーク８０経由で管理する処理の流れを、図４に示すフローチャートを用いて説明する。ここでは、作業者管理システム１が対象作業者Ｐａをネットワーク８０経由で管理する処理の流れについて説明する。作業者管理システム１が対象作業者Ｐｂ，・・・をネットワーク８０経由で管理する場合についても同様である。
【００９８】
図４に示すステップＳ１では、覚醒度が検知される。すなわち、図３に示す端末装置４０ａの第１検知部４４ａにより、覚醒度等関連情報（図５参照）が検知される。制御部４２ａにより、覚醒度等関連情報（図５参照）が第１検知部４４ａから受け取られる。同様に、端末装置４０ｂ，・・・（図示せず）の第１検知部４４ｂ，・・・（図示せず）により、覚醒度等関連情報（図５参照）が検知される。制御部４２ｂ，・・・（図示せず）により、覚醒度等関連情報（図５参照）が第１検知部４４ｂ，・・・（図示せず）から受け取られる。
【００９９】
図４に示すステップＳ２では、作業者の存在が検知される。すなわち、図３に示す端末装置４０ａの第２検知部４５ａにより、対象作業者Ｐａの存在が別の作業者Ｐｂ，・・・と区別して検知される。制御部４２ａにより、対象作業者Ｐａの存在の情報が第２検知部４５ａから受け取られる。同様に、端末装置４０ｂ，・・・（図示せず）の第２検知部４５ｂ，・・・（図示せず）により、別の作業者Ｐｂ，・・・の存在が対象作業者Ｐａと区別して検知される。制御部４２ｂ，・・・（図示せず）により、別の作業者Ｐｂ，・・・の存在の情報が第２検知部４５ｂ，・・・（図示せず）から受け取られる。
【０１００】
図４に示すステップＳ３では、対象作業者の存在と覚醒度等関連情報との相関関係が記憶される。すなわち、図３に示す端末装置４０ａの制御部４２ａにより、覚醒度等関連情報（図５参照）と対象作業者Ｐａの存在の情報とが送受信部４１ａへ渡される。送受信部４１ａにより、覚醒度等関連情報（図５参照）と対象作業者Ｐａの存在の情報とが、ネットワーク８０経由で送信される。同様にして、端末装置４０ｂ，・・・（図示せず）の送受信部４１ｂ，・・・（図示せず）により、覚醒度等関連情報（図５参照）と別の作業者Ｐｂ，・・・の存在の情報とが、ネットワーク８０経由で送信される。
【０１０１】
図２に示す管理センタ１０の送受信部１１により、覚醒度等関連情報（図５参照）と対象作業者Ｐａの存在の情報とが、ネットワーク８０経由で受信される。送受信部１１により、覚醒度等関連情報（図５参照）と対象作業者Ｐａの存在の情報とが、集中管理部１２へ渡される。同様に、送受信部１１により、覚醒度等関連情報（図５参照）と他の作業者Ｐｂ，・・・の存在の情報とが、集中管理部１２へ渡される。集中管理部１２により、複数の作業者Ｐａ，Ｐｂ，・・・のうち報知作業者群（Ｐａ，Ｐｂ，・・・）について、覚醒度等関連情報（図５参照）がネットワーク８０経由で集中的に管理される。ここで、報知作業者群（Ｐａ，Ｐｂ，・・・）は、管理者へ報知する対象となる作業者群であり、対象作業者Ｐａと別の作業者Ｐｂ，・・・とが含まれる。
【０１０２】
第１相関関係記憶部１７により、対象作業者Ｐａの存在の情報と覚醒度等関連情報（図５参照）とが集中管理部１２から受け取られる。第１相関関係記憶部１７により、対象作業者Ｐａの存在と覚醒度等関連情報（図５参照）との相関関係（図４参照）が記憶される。これにより、対象作業者Ｐａの存在と覚醒度等関連情報（図５参照）とが関連付けられる。同様に、第１相関関係記憶部１７により、他の作業者Ｐｂ，・・・の存在の情報と覚醒度等関連情報（図５参照）とが集中管理部１２から受け取られる。第１相関関係記憶部１７により、他の作業者Ｐｂ，・・・の存在と覚醒度等関連情報（図５参照）との相関関係（図４参照）が記憶される。これにより、他の作業者Ｐｂ，・・・の存在と覚醒度等関連情報（図５参照）とが関連付けられる。
【０１０３】
図４に示すステップＳ４では、加工情報が生成される。すなわち、図２に示す管理センタ１０の生成部１３により、対象作業者Ｐａの覚醒度等関連情報（図５参照）と別の作業者Ｐｂ，・・・の覚醒度等関連情報（図５参照）とが、集中管理部１２を経由して第１相関関係記憶部１７から受け取られる。対象作業者Ｐａの覚醒度等関連情報（図５参照）は、例えば、スペクトル９１ａ（図５参照）である。別の作業者Ｐｂ，・・・の覚醒度等関連情報（図５参照）は、例えば、スペクトル９１ｂ，・・・（図５参照）である。生成部１３により、対象作業者Ｐａの覚醒度等関連情報（図５参照）と別の作業者Ｐｂ，・・・の覚醒度等関連情報（図５参照）とに基づいて、加工情報（図７参照）が生成される。ここで、加工情報（図７参照）は、報知作業者群（Ｐａ，Ｐｂ，・・・）に関する情報である。加工情報は、例えば、９２ａ，９２ｂ，・・・，９３ａ，９３ｂ，・・・（図７参照）である。
【０１０４】
図４に示すステップＳ５では、報知がなされる。すなわち、図２に示す管理センタ１０の報知部１５により、加工情報が生成部１３から受け取られる。報知部１５により、加工情報（図７参照）が管理者へ報知される。すなわち、加工情報（図７参照）が管理センタ１０の表示画面（図示せず）に映し出される。
＜作業者管理システム１に関する特徴＞
（１）
ここでは、図３に示す端末装置４０ａ，・・・の第１検知部４４ａ，・・・が、覚醒度等関連情報（図５参照）を検知する。第２検知部４５ａが、対象作業者Ｐａの存在を、別の作業者Ｐｂ，・・・と区別して検知する。同様に、第２検知部４５ｂ，・・・（図示せず）が、別の作業者Ｐｂ，・・・の存在を、対象作業者Ｐａと区別して検知する。図２に示す管理センタ１０の送受信部１１が、覚醒度等関連情報（図５参照）と作業者Ｐａ，Ｐｂ，・・・の存在の情報とをネットワーク８０経由で受信する。第１相関関係記憶部１７が、対象作業者Ｐａの存在の情報と覚醒度等関連情報（図５参照）とを、集中管理部１２経由で送受信部１１から受け取る。第１相関関係記憶部１７が、対象作業者Ｐａの存在と覚醒度等関連情報（図５参照）との相関関係を記憶する。これにより、対象作業者Ｐａの存在と覚醒度等関連情報（図５参照）とが関連付けられる。同様に、第１相関関係記憶部１７が、別の作業者Ｐｂ，・・・の存在の情報と覚醒度等関連情報（図５参照）とを、集中管理部１２経由で送受信部１１から受け取る。第１相関関係記憶部１７が、別の作業者Ｐｂ，・・・の存在と覚醒度等関連情報（図５参照）との相関関係を記憶する。これにより、別の作業者Ｐｂ，・・・の存在と覚醒度等関連情報（図５参照）とが関連付けられる。生成部１３が、報知作業者群（Ｐａ，Ｐｂ，・・・）の覚醒度等関連情報（図５参照）を集中管理部１２経由で第１相関関係記憶部１７から受け取る。生成部１３が、報知作業者群（Ｐａ，Ｐｂ，・・・）の覚醒度等関連情報（図５参照）に基づいて、加工情報（図７参照）を生成する。報知部１５が、加工情報（図７参照）を受け取る。報知部１５が、加工情報（図７参照）を管理者へ報知する。
【０１０５】
したがって、覚醒度等関連情報（図５参照）を報知作業者群（Ｐａ，Ｐｂ，・・・）について比較しながら管理者が把握することが可能であるので、対象作業者Ｐａの覚醒度が適度な値でない場合に、その原因が対象作業者Ｐａの個人的な原因であるのか対象作業者Ｐａと別の作業者Ｐｂ，・・・とに共通した原因であるのかを判断することが可能である。他の作業者Ｐｂ，・・・が対象作業者となる場合も同様である。このため、覚醒度が適度な値でない作業者Ｐａ，Ｐｂ，・・・に覚醒度の改善方法を管理者から提案することが容易になるので、作業者Ｐａ，Ｐｂ，・・・の生産性が向上する。
【０１０６】
（２）
ここでは、図２に示す管理センタ１０の送受信部１１が、対象作業者Ｐａの存在の情報と覚醒度等関連情報（図５参照）とをネットワーク８０経由で受信する。送受信部１１が、別の作業者Ｐｂ，・・・の存在の情報と覚醒度等関連情報（図５参照）とをネットワーク８０経由で受信する。覚醒度等関連情報（図５参照）が、作業者の生理活動に関する情報である。第１相関関係記憶部１７が、対象作業者Ｐａの存在と覚醒度等関連情報（図５参照）との相関関係を記憶する。これにより、対象作業者Ｐａの存在と覚醒度等関連情報（図５参照）とが関連付けられる。第１相関関係記憶部１７が、別の作業者Ｐｂ，・・・の存在と覚醒度等関連情報（図５参照）との相関関係を記憶する。これにより、別の作業者Ｐｂ，・・・の存在と覚醒度等関連情報（図５参照）とが関連付けられる。生成部１３が、報知作業者群（Ｐａ，Ｐｂ，・・・）の覚醒度等関連情報（図５参照）に基づいて、加工情報（図７参照）を生成する。加工情報（図７参照）が、報知作業者群（Ｐａ，Ｐｂ，・・・）におけるそれぞれの作業者Ｐａ，Ｐｂ，・・・の生理活動のレベルである。
【０１０７】
したがって、覚醒度等関連情報（図５参照）に基づいて、加工情報（図７参照）が詳細に生成される。なお、他の作業者Ｐｂ，・・・が対象作業者となる場合も同様である。
（３）
ここでは、図３に示す端末装置４０ａ，・・・の第１検知部４４ａ，・・・が、覚醒度等関連情報（図５参照）を検知する。第２検知部４５ａが、対象作業者Ｐａの存在を、別の作業者Ｐｂ，・・・と区別して検知する。同様に、第２検知部４５ｂ，・・・（図示せず）が、別の作業者Ｐｂ，・・・の存在を、対象作業者Ｐａと区別して検知する。第１検知部４４ａ，・・・と図２に示す送受信部１１とがネットワーク８０を介して接続されている。送受信部１１が、覚醒度等関連情報（図５参照）と作業者Ｐａ，Ｐｂ，・・・の存在の情報とをネットワーク８０経由で受信する。作業者Ｐａ，Ｐｂ，・・・の存在の情報と覚醒度等関連情報（図５参照）とが関連付けられる。生成部１３が、報知作業者群（Ｐａ，Ｐｂ，・・・）の覚醒度等関連情報（図５参照）に基づいて、加工情報（図７参照）を生成する。報知部１５が、加工情報（図７参照）を受け取る。報知部１５が、加工情報（図７参照）を管理者へ報知する。他の作業者Ｐｂ，・・・が対象作業者となる場合も同様である。
【０１０８】
したがって、覚醒度等関連情報（図５参照）を検知してネットワーク８０経由で受信するので、作業者Ｐａ，Ｐｂ，・・・の覚醒度が管理される。
（４）
ここでは、図３に示す端末装置４０ａの第２検知部４５ａが、対象作業者Ｐａの存在を、別の作業者Ｐｂ，・・・と区別して検知する。第２検知部４５ａと図２に示す送受信部１１とがネットワーク８０を介して接続されている。送受信部１１が、覚醒度等関連情報（図５参照）と対象作業者Ｐａの存在の情報とをネットワーク８０経由で受信する。第１相関関係記憶部１７が、対象作業者Ｐａの存在と覚醒度等関連情報（図５参照）との相関関係を記憶する。これにより、対象作業者Ｐａの存在と覚醒度等関連情報（図５参照）とが関連付けられる。他の作業者Ｐｂ，・・・が対象作業者となる場合も同様である。
【０１０９】
したがって、対象作業者Ｐａの存在を別の作業者Ｐｂ，・・・と区別して検知してネットワーク８０経由で受信するので、作業者Ｐａ，Ｐｂ，・・・の覚醒度が作業者Ｐａ，Ｐｂ，・・・毎に管理される。
（５）
ここでは、図２に示す管理センタ１０の送受信部１１が、覚醒度等関連情報（図５参照）と作業者Ｐａ，Ｐｂ，・・・の存在の情報とをネットワーク８０経由で受信する。生成部１３が、報知作業者群（Ｐａ，Ｐｂ，・・・）の覚醒度等関連情報（図５参照）に基づいて、加工情報（図７参照）を生成する。報知部１５が、加工情報（図７参照）を受け取る。報知部１５が、加工情報（図７参照）を管理センタ１０の表示画面（図示せず）に表示することにより管理者へ報知する。
【０１１０】
したがって、加工情報（図７参照）を表示することにより管理者へ報知するので、覚醒度等関連情報（図５参照）を報知作業者群（Ｐａ，Ｐｂ，・・・）について比較しながら管理者が把握することが容易になる。
＜第１実施形態の変形例＞
（Ａ）報知作業者群（Ｐａ，Ｐｂ，・・・）の範囲は、例えば、全社であってもよいし、事業所全体であってもよいし、部門全体であってもよいし、複数の会社全体であってもよいし、複数の事業所全体であってもよいし、複数の部門全体であってもよいし、ビル全体であってもよいし、複数のビル全体であってもよいし、どのような範囲であってもよい。覚醒度等関連情報は、作業者Ｐａ，・・・の覚醒度、作業者Ｐａ，・・・の疲労度及び作業者Ｐａ，・・・のストレス度の少なくとも１つに関する情報であってもよい。覚醒度等関連情報（図５参照）として、交感神経及び副交感神経の活動以外に関する情報を用いてもよい。覚醒度等関連情報（図５参照）として、例えば、心拍、脳波、脈拍などに関する情報を用いてもよい。報知部１５は、加工情報（図７参照）を、管理センタ１０の音声装置（図示せず）から音声で知らせることにより、管理者へ報知してもよい。送受信部１１は、送信部１１ａと受信部１１ｂとを備えていてもよい。送受信部４１ａ，・・・は、送信部４１ａａ，・・・と受信部４１ａｂ，・・・とを備えていてもよい。他の作業者Ｐｂ，・・・が対象作業者である場合も同様である。
【０１１１】
（Ｂ）加工情報（図７参照）は、報知作業者群（Ｐａ，Ｐｂ，・・・）におけるそれぞれの作業者Ｐａ，Ｐｂ，・・・の生理活動のレベルでなくてもよい。すなわち、加工情報（図７参照）は、対象作業者Ｐａ，Ｐｂ，・・・の生理活動のレベルについての報知作業者群（Ｐａ，Ｐｂ，・・・）における相対的な位置、報知作業者群（Ｐａ，Ｐｂ，・・・）におけるそれぞれの作業者Ｐａ，Ｐｂ，・・・の生理活動のレベル、報知作業者群（Ｐａ，Ｐｂ，・・・）における作業者Ｐａ，Ｐｂ，・・・の生理活動のレベルに関するランキング、報知作業者群（Ｐａ，Ｐｂ，・・・）におけるそれぞれの作業者Ｐａ，Ｐｂ，・・・の生理活動のレベルについての頻度分布、報知作業者群（Ｐａ，Ｐｂ，・・・）におけるそれぞれの作業者Ｐａ，Ｐｂ，・・・の生理活動のレベルが出現する時間的な割合、報知作業者群におけるそれぞれの作業者Ｐａ，Ｐｂ，・・・の生理活動のレベルについての平均値、報知作業者群（Ｐａ，Ｐｂ，・・・）における作業者Ｐａ，Ｐｂ，・・・の生理活動のレベルについての平均値に関するランキング、報知作業者群（Ｐａ，Ｐｂ，・・・）におけるそれぞれの作業者Ｐａ，Ｐｂ，・・・の生理活動のレベルについての最大値、報知作業者群（Ｐａ，Ｐｂ，・・・）における作業者Ｐａ，Ｐｂ，・・・の生理活動のレベルについての最大値に関するランキング、報知作業者群（Ｐａ，Ｐｂ，・・・）におけるそれぞれの作業者Ｐａ，Ｐｂ，・・・の生理活動のレベルについての最小値、報知作業者群（Ｐａ，Ｐｂ，・・・）における作業者Ｐａ，Ｐｂ，・・・の生理活動のレベルについての最小値に関するランキング並びに報知作業者群（Ｐａ，Ｐｂ，・・・）におけるそれぞれの作業者Ｐａ，Ｐｂ，・・・の生理活動の履歴のうち少なくとも１つであってもよい。ここで、所定期間は１時間であってもよいし、１日であってもよいし、１週間であってもよいし、１ヶ月であってもよいし、１年であってもよいし、どのような期間であってもよい。
【０１１２】
報知作業者群（Ｐａ，Ｐｂ，・・・）が、所定のグループを複数だけ含んでもよい。所定のグループは、１以上の作業者Ｐａ，Ｐｂ，・・・を有する。この場合、加工情報が、報知作業者群（Ｐａ，Ｐｂ，・・・）におけるそれぞれの所定のグループの生理活動のレベル、報知作業者群（Ｐａ，Ｐｂ，・・・）における所定のグループの生理活動のレベルに関するランキング、報知作業者群（Ｐａ，Ｐｂ，・・・）におけるそれぞれの所定のグループの生理活動のレベルについての頻度分布、報知作業者群（Ｐａ，Ｐｂ，・・・）におけるそれぞれの所定のグループの生理活動のレベルが出現する時間的な割合、報知作業者群（Ｐａ，Ｐｂ，・・・）におけるそれぞれの所定のグループの生理活動のレベルについての平均値、報知作業者群（Ｐａ，Ｐｂ，・・・）における所定のグループの生理活動のレベルについての平均値に関するランキング、報知作業者群（Ｐａ，Ｐｂ，・・・）におけるそれぞれの所定のグループの生理活動のレベルについての最大値、報知作業者群（Ｐａ，Ｐｂ，・・・）における所定のグループの生理活動のレベルについての最大値に関するランキング、報知作業者群（Ｐａ，Ｐｂ，・・・）におけるそれぞれの所定のグループの生理活動のレベルについての最小値並びに報知作業者群（Ｐａ，Ｐｂ，・・・）における所定のグループの生理活動のレベルについての最小値に関するランキングのうち少なくとも１つであってもよい。なお、所定のグループの範囲は、例えば、全社であってもよいし、事業所全体であってもよいし、部門全体であってもよいし、複数の会社全体であってもよいし、複数の事業所全体であってもよいし、複数の部門全体であってもよいし、ビル全体であってもよいし、複数のビル全体であってもよいし、どのような範囲であってもよい。
【０１１３】
加工情報（図７参照）が対象作業者Ｐａ，Ｐｂ，・・・の生理活動のレベルについての報知作業者群（Ｐａ，Ｐｂ，・・・）における相対的な位置である場合、例えば、図８に示すグラフ９７が管理者へ報知されてもよい。グラフ９７において、縦軸が度数を示し、横軸が覚醒度を示す。グラフ９７は、報知作業者群（Ｐａ，Ｐｂ，・・・）の覚醒度の分布を示す。対象作業者Ｐａの覚醒度は、インジケータ７３ａで示される。すなわち、対象作業者Ｐａの覚醒度についての報知作業者群（Ｐａ，Ｐｂ，・・・）における相対的な位置が、インジケータ７３ａで示される。これにより、対象作業者Ｐａの覚醒度が適度な値でない場合に、その原因が対象作業者Ｐａの個人的な原因であるのか対象作業者Ｐａと別の作業者Ｐｂ，・・・とに共通した原因であるのかを判断することが可能である。他の作業者Ｐｂ，・・・が対象作業者である場合も同様である。
【０１１４】
加工情報（図７参照）が報知作業者群（Ｐａ，Ｐｂ，・・・）におけるそれぞれの作業者Ｐａ，Ｐｂ，・・・の生理活動のレベルが出現する時間的な割合である場合、例えば、図９に示すグラフ９６ａ，９６ｂ，・・・が管理者へ報知されてもよい。グラフ９６ａにおいて、円の面積に対する扇形の面積の割合がストレス度のレベル（例えば、高い、やや高い、適度、やや低い、低い）の出現する時間的な割合を示す。グラフ９６ａは、作業者Ｐａのストレス度のレベルが出現する時間的な割合を示す。グラフ９６ｂにおいて、円の面積に対する扇形の面積の割合がストレス度のレベル（例えば、高い、やや高い、適度、やや低い、低い）の出現する時間的な割合を示す。グラフ９６ｂは、作業者Ｐｂのストレス度のレベルが出現する時間的な割合を示す。図９の場合、作業者Ｐａは、ストレス度が「高い」割合が多いのでストレス度に問題がある作業者であることが分かる。作業者Ｐｂは、ストレス度が「適度」である割合が多いのでストレス度に問題がない作業者であることが分かる。作業者Ｐａのグラフ９６ａと作業者Ｐｂのグラフ９６ｂとを比較することにより、作業者Ｐａの覚醒度が適度な値でない原因が作業者Ｐａの個人的な原因であることが分かる。
【０１１５】
加工情報（図７参照）が報知作業者群（Ｐａ，Ｐｂ，・・・）における所定のグループの生理活動のレベルに関するランキングである場合、例えば、図１０に示すランキングが管理者へ報知されてもよい。図１０に示すランキングにおいて、作業者１５１が対象作業者Ｐａを別の作業者Ｐｂ，・・・から区別するための情報を示し、順位１５２がランキングにおける順位を示し、覚醒度１５３が覚醒度の値を示す。図１０の場合、覚醒度が高い順にランキングが示されている。したがって、覚醒度に問題のある作業者の候補が作業者Ｐｂ，Ｐａ，・・・であることが分かる。
【０１１６】
（Ｃ）図３に示す端末装置４０ａ，・・・は、第３検知部４６ａ，・・・をさらに備えてもよい。図２に示す管理センタ１０は、決定部１４をさらに備えてもよい。この場合、図３に示す端末装置４０ａの第３検知部４６ａが、対象作業者Ｐａの状態を検知する。同様に、図３に示す端末装置４０ｂ，・・・（図示せず）の第３検知部４６ｂ，・・・（図示せず）が、別の作業者Ｐｂ，・・・（図示せず）の状態を検知する。図２に示す管理センタ１０の決定部１４が、第３検知部４６ａから、制御部４２ａと送受信部４１ａとネットワーク８０と送受信部１１と集中管理部１２とを経由して、対象作業者Ｐａの状態の情報を受け取る。決定部１４が、第３検知部４６ｂ，・・・（図示せず）から、制御部４２ｂ，・・・（図示せず）と送受信部４１ｂ，・・・（図示せず）とネットワーク８０と送受信部１１と集中管理部１２とを経由して、別の作業者Ｐｂ，・・・の状態の情報を受け取る。報知部１５が、加工情報（図１３参照）を生成部１３から受け取る。報知部１５が、対象作業者Ｐａの状態の情報と別の作業者Ｐｂ，・・・の状態の情報とを、決定部１４から受け取る。報知部１５が、加工情報（図１３参照）を対象作業者Ｐａの状態とともに管理者へ報知する。あるいは、報知部１５が、加工情報（図１３参照）を対象作業者Ｐａの状態及び別の作業者Ｐｂ，・・・の状態とともに管理者へ報知する。他の作業者Ｐｂ，・・・が対象作業者である場合も同様である。これらの点で第１実施形態と異なる。
【０１１７】
また、作業者管理システム１が複数の作業者Ｐａ，Ｐｂ，・・・をネットワーク８０経由で管理する処理の流れが、次の点で第１実施形態と異なる。図１１では、作業者管理システム１が対象作業者Ｐａをネットワーク８０経由で管理する処理の流れについて説明するが、作業者管理システム１が対象作業者Ｐｂ，・・・をネットワーク８０経由で管理する場合についても同様である。
【０１１８】
図１１に示すステップＳ１１では、作業者の状態が検知される。すなわち、図３に示す端末装置４０ａの第３検知部４６ａにより、対象作業者Ｐａの状態が検知される。制御部４２ａにより、対象作業者Ｐａの状態の情報が第３検知部４６ａから受け取られる。同様に、端末装置４０ｂ，・・・（図示せず）の第３検知部４６ｂ，・・・（図示せず）により、別の作業者Ｐｂ，・・・の状態が検知される。制御部４２ｂ，・・・（図示せず）により、別の作業者Ｐｂ，・・・の状態の情報が第３検知部４６ｂ，・・・（図示せず）から受け取られる。図２に示す管理センタ１０の決定部１４により、制御部４２ａから、送受信部４１ａとネットワーク８０と送受信部１１と集中管理部１２とを経由して、対象作業者Ｐａの状態の情報が受け取られる。決定部１４により、制御部４２ｂ，・・・（図示せず）から、送受信部４１ｂ，・・・（図示せず）とネットワーク８０と送受信部１１と集中管理部１２とを経由して、別の作業者Ｐｂ，・・・の状態の情報が受け取られる。
【０１１９】
図１１に示すステップＳ１２では、報知がなされる。すなわち、報知部１５により、加工情報（図１３参照）が生成部１３から受け取られる。報知部１５により、対象作業者Ｐａの状態の情報と別の作業者Ｐｂ，・・・の状態の情報とが、決定部１４から受け取られる。報知部１５により、加工情報（図１３参照）が、対象作業者Ｐａの状態とともに管理者へ報知される。あるいは、報知部１５により、加工情報（図１３参照）が、対象作業者Ｐａの状態の情報及び別の作業者Ｐｂ，・・・の状態とともに管理者へ報知される。例えば、図１３に示す画面が報知される。図１３では、作業者の状態として作業内容が報知されている。
【０１２０】
したがって、覚醒度等関連情報（図５参照）と作業者の状態との関係を管理することができるので、作業者Ｐａ，Ｐｂ，・・・の覚醒度が作業者の状態に応じて適切であるか否かを管理することができる。このため、作業者の状態に適した作業者Ｐａ，Ｐｂ，・・・の覚醒度の改善方法を提案することができる。
（Ｄ）図２に示す管理センタ１０は、入力部１６と決定部１４とをさらに備えてもよい。この場合、送受信部１１が、作業者の状態の情報をネットワーク８０経由でさらに受信する。決定部１４が、集中管理部１２を経由して、作業者の状態の情報を送受信部１１から受け取る。管理者が決定部１４の情報を閲覧可能である。入力部１６に、作業者の状態に基づいて、好適範囲（図７のインジケータ７１，インジケータ７２，図１３のインジケータ７９参照）が入力される。決定部１４が、集中管理部１２を経由して好適範囲（図７のインジケータ７１，インジケータ７２，図１３のインジケータ７９参照）の情報を入力部１６から受け取る。生成部１３が、報知作業者群（Ｐａ，Ｐｂ，・・・）の覚醒度等関連情報に基づいて、加工情報（図７，図１３参照）を生成する。報知部１５が、加工情報（図７，図１３参照）を生成部１３から受け取る。報知部１５が、好適範囲（図７のインジケータ７１，インジケータ７２，図１３のインジケータ７９参照）の情報と作業者の状態の情報とを決定部１４から受け取る。報知部１５が、加工情報（図１３参照）を、作業者の状態及び好適範囲（図１３のインジケータ７９参照）とともに管理者へ報知する。例えば、図１３に示す画面が報知される。図１３では、作業者の状態として作業内容が報知されている。あるいは、報知部１５が、加工情報（図７参照）を、好適範囲（図７のインジケータ７１，インジケータ７２参照）とともに管理者へ報知する。例えば、図７に示す画面が報知される。
【０１２１】
したがって、好適範囲（図７のインジケータ７１，インジケータ７２，図１３のインジケータ７９参照）が入力されるので、作業者Ｐａ，Ｐｂ，・・・の覚醒度等が作業者の状態に応じて適切であるか否かについて管理することが容易になる。
（Ｅ）上記変形例（Ｃ）又は（Ｄ）において、加工情報（図７参照）は、報知作業者群（Ｐａ，Ｐｂ，・・・）におけるそれぞれの作業者Ｐａ，Ｐｂ，・・・の生理活動のレベルでなくてもよい。すなわち、加工情報（図７参照）は、対象作業者Ｐａ，Ｐｂ，・・・の生理活動のレベルについての報知作業者群（Ｐａ，Ｐｂ，・・・）における相対的な位置、報知作業者群（Ｐａ，Ｐｂ，・・・）におけるそれぞれの作業者Ｐａ，Ｐｂ，・・・の生理活動のレベル、報知作業者群（Ｐａ，Ｐｂ，・・・）における作業者Ｐａ，Ｐｂ，・・・の生理活動のレベルに関するランキング、報知作業者群（Ｐａ，Ｐｂ，・・・）におけるそれぞれの作業者Ｐａ，Ｐｂ，・・・の生理活動のレベルについての頻度分布、報知作業者群（Ｐａ，Ｐｂ，・・・）におけるそれぞれの作業者Ｐａ，Ｐｂ，・・・の生理活動のレベルが出現する時間的な割合、報知作業者群（Ｐａ，Ｐｂ，・・・）におけるそれぞれの作業者Ｐａ，Ｐｂ，・・・の生理活動のレベルについての平均値、報知作業者群（Ｐａ，Ｐｂ，・・・）における作業者Ｐａ，Ｐｂ，・・・の生理活動のレベルについての平均値に関するランキング、報知作業者群（Ｐａ，Ｐｂ，・・・）におけるそれぞれの作業者Ｐａ，Ｐｂ，・・・の生理活動のレベルについての最大値、報知作業者群（Ｐａ，Ｐｂ，・・・）における作業者Ｐａ，Ｐｂ，・・・の生理活動のレベルについての最大値に関するランキング、報知作業者群（Ｐａ，Ｐｂ，・・・）におけるそれぞれの作業者Ｐａ，Ｐｂ，・・・の生理活動のレベルについての最小値、報知作業者群（Ｐａ，Ｐｂ，・・・）における作業者Ｐａ，Ｐｂ，・・・の生理活動のレベルについての最小値に関するランキング並びに報知作業者群（Ｐａ，Ｐｂ，・・・）におけるそれぞれの作業者Ｐａ，Ｐｂ，・・・の生理活動の履歴、報知作業者群（Ｐａ，Ｐｂ，・・・）におけるそれぞれの作業者Ｐａ，Ｐｂ，・・・の生理活動が好適範囲（図７のインジケータ７１，インジケータ７２参照）を外れた連続時間、報知作業者群（Ｐａ，Ｐｂ，・・・）における作業者Ｐａ，Ｐｂ，・・・の生理活動が好適範囲（図７のインジケータ７１，インジケータ７２参照）を外れた連続時間に関するランキング、報知作業者群（Ｐａ，Ｐｂ，・・・）におけるそれぞれの作業者Ｐａ，Ｐｂ，・・・の生理活動が好適範囲（図７のインジケータ７１，インジケータ７２参照）を外れた累積時間並びに報知作業者群（Ｐａ，Ｐｂ，・・・）における作業者Ｐａ，Ｐｂ，・・・の生理活動が好適範囲（図７のインジケータ７１，インジケータ７２参照）を外れた累積時間に関するランキングのうち少なくとも１つであってもよい。ここで、所定期間は１時間であってもよいし、１日であってもよいし、１週間であってもよいし、１ヶ月であってもよいし、１年であってもよいし、どのような期間であってもよい。
【０１２２】
上記変形例（Ｃ）又は（Ｄ）において、報知作業者群（Ｐａ，Ｐｂ，・・・）が、所定のグループを複数だけ含んでもよい。所定のグループは、１以上の作業者Ｐａ，Ｐｂ，・・・を有する。この場合、加工情報が、報知作業者群（Ｐａ，Ｐｂ，・・・）におけるそれぞれの所定のグループの生理活動のレベル、報知作業者群（Ｐａ，Ｐｂ，・・・）における所定のグループの生理活動のレベルに関するランキング、報知作業者群（Ｐａ，Ｐｂ，・・・）におけるそれぞれの所定のグループの生理活動のレベルについての頻度分布、報知作業者群（Ｐａ，Ｐｂ，・・・）におけるそれぞれの所定のグループの生理活動のレベルが出現する時間的な割合、報知作業者群（Ｐａ，Ｐｂ，・・・）におけるそれぞれの所定のグループの生理活動のレベルについての平均値、報知作業者群（Ｐａ，Ｐｂ，・・・）における所定のグループの生理活動のレベルについての平均値に関するランキング、報知作業者群（Ｐａ，Ｐｂ，・・・）におけるそれぞれの所定のグループの生理活動のレベルについての最大値、報知作業者群（Ｐａ，Ｐｂ，・・・）における所定のグループの生理活動のレベルについての最大値に関するランキング、報知作業者群（Ｐａ，Ｐｂ，・・・）におけるそれぞれの所定のグループの生理活動のレベルについての最小値、報知作業者群（Ｐａ，Ｐｂ，・・・）における所定のグループの生理活動のレベルについての最小値に関するランキング、報知作業者群（Ｐａ，Ｐｂ，・・・）におけるそれぞれの所定のグループの生理活動が好適範囲（図７のインジケータ７１，インジケータ７２参照）を外れた連続時間、報知作業者群における所定のグループの生理活動が好適範囲（図７のインジケータ７１，インジケータ７２参照）を外れた連続時間に関するランキング、報知作業者群（Ｐａ，Ｐｂ，・・・）におけるそれぞれの所定のグループの生理活動が好適範囲（図７のインジケータ７１，インジケータ７２参照）を外れた累積時間並びに報知作業者群（Ｐａ，Ｐｂ，・・・）における所定のグループの生理活動が好適範囲（図７のインジケータ７１，インジケータ７２参照）を外れた累積時間に関するランキングのうち少なくとも１つであってもよい。なお、所定のグループの範囲は、例えば、全社であってもよいし、事業所全体であってもよいし、部門全体であってもよいし、複数の会社全体であってもよいし、複数の事業所全体であってもよいし、複数の部門全体であってもよいし、ビル全体であってもよいし、複数のビル全体であってもよいし、どのような範囲であってもよい。
【０１２３】
加工情報が報知作業者群（Ｐａ，Ｐｂ，・・・）におけるそれぞれの作業者Ｐａ，Ｐｂ，・・・の生理活動のレベルである場合、例えば、図１３に示すグラフ９８が管理者へ報知されてもよい。グラフ９８において、縦軸が副交感神経と交感神経との活動レベルの大きさの割合を示し、横軸が覚醒レベルの高さを示す。対象作業者Ｐａの覚醒レベルがインジケータ７４ａで示される。別の作業者Ｐｂの覚醒レベルがインジケータ７４ｂで示される。覚醒レベルの好適範囲がインジケータ７９で示される。図１３の場合、別の作業者Ｐｂの覚醒レベルは好適範囲に入っているが、対象作業者Ｐａの覚醒レベルが好適範囲を外れているので、対象作業者Ｐａの覚醒レベルが好適範囲を外れている原因が個人的な原因であると判断することができる。
【０１２４】
加工情報が報知作業者群（Ｐａ，Ｐｂ，・・・）におけるそれぞれの作業者Ｐａ，Ｐｂ，・・・の生理活動のレベルについての平均値である場合、例えば、図１４に示すグラフ９９が管理者へ報知されてもよい。グラフ９９において、縦軸が特に何も示さず、横軸が心拍数を示す。対象作業者Ｐａの心拍数の１日における平均値がインジケータ７７ａで示される。別の作業者Ｐｂの心拍数の１日における平均値がインジケータ７７ｂで示される。心拍数の好適範囲がインジケータ８１で示される。図１４の場合、対象作業者Ｐａの覚醒レベルが好適範囲を外れており、別の作業者Ｐｂの覚醒レベルが好適範囲を外れているので、対象作業者Ｐａの覚醒レベルが好適範囲を外れている原因が対象作業者Ｐａと別の作業者Ｐｂとに共通した原因であると判断することができる。
【０１２５】
加工情報が、報知作業者群（Ｐａ，Ｐｂ，・・・）におけるそれぞれの作業者Ｐａ，Ｐｂ，・・・の生理活動の履歴と、報知作業者群（Ｐａ，Ｐｂ，・・・）におけるそれぞれの作業者Ｐａ，Ｐｂ，・・・の生理活動が好適範囲（図７のインジケータ７１，インジケータ７２参照）を外れた連続時間と、である場合、例えば、図１５に示すグラフ９４ａ，９４ｂ，・・・が管理者へ報知されてもよい。グラフ９４ａ，９４ｂ，・・・において、縦軸がストレス度を示し、横軸が時刻を示す。対象作業者Ｐａのストレス度の履歴がグラフ９４ａで示される。別の作業者Ｐｂのストレス度の履歴がグラフ９４ｂで示される。ストレス度の好適範囲がインジケータ７８で示される。対象作業者Ｐａのストレス度が好適範囲を外れた連続時間Ｔ１がインジケータ８２で示される。図１５の場合、対象作業者Ｐａのストレス度が連続時間Ｔ１だけ好適範囲を外れており、別の作業者Ｐｂのストレス度が好適範囲を外れていないので、対象作業者Ｐａのストレス度が好適範囲を外れている原因が個人的な原因であると判断することができる。また、連続時間Ｔ１が所定時間を超えていれば、対象作業者Ｐａが休憩を取るべきであると判断することができる。なお、連続時間は、具体的な数値Ｔ１のみで示されてもよいし、インジケータ８２のみで示されてもよい。
【０１２６】
加工情報が、報知作業者群（Ｐａ，Ｐｂ，・・・）における作業者の生理活動が好適範囲（図７のインジケータ７１，インジケータ７２参照）を外れた連続時間に関するランキングである場合、例えば、図１６に示すランキングが管理者へ報知されてもよい。図１６に示すランキングにおいて、作業者欄１５１が対象作業者Ｐａを別の作業者Ｐｂ，・・・から区別するための情報を示し、順位欄１５２がランキングにおける順位を示し、連続時間欄１５４が作業者Ｐａ，Ｐｂ，・・・のストレス度について好適範囲を外れた連続時間を示す。図１６の場合、連続時間が長い順にランキングが示されている。したがって、ストレス度に問題のある作業者の候補が作業者Ｐａ，Ｐｃ，・・・であることが分かる。
【０１２７】
（Ｆ）上記変形例（Ｃ）又は（Ｄ）において、図３に示す端末装置４０ａ，・・・の第３検知部４６ａ，・・・が、作業者の状態として、作業者の作業の種類を検知してもよい。決定部１４（図２参照）が、第３検知部４６ａ，・・・から、制御部４２ａ，・・・と送受信部４１ａ，・・・とネットワーク８０と図２に示す送受信部１１と集中管理部１２とを経由して、作業者の状態の情報を受け取る。報知部１５が、加工情報（図１３参照）を生成部１３から受け取る。報知部１５が、作業者の状態の情報を決定部１４から受け取る。報知部１５が、加工情報（図１３参照）を作業者の状態とともに管理者へ報知する。したがって、作業者Ｐａ，Ｐｂ，・・・の作業の種類とともに、加工情報（図１３参照）を管理者へ報知することができる。作業の種類は、例えば、単純な作業と複雑な作業とである。複雑な作業は、例えば、ＣＡＤによる設計作業であってもよいし、ソフトウェアのプログラミング作業であってもよいし、特許明細書の作成作業であってもよい。単純な作業は、例えば、データベースへの入力作業であってもよいし、事務書類作成作業であってもよいし、伝票の入力作業であってもよいし、文書のワープロでの清書作業であってもよい。
【０１２８】
上記変形例（Ｃ）又は（Ｄ）において、図３に示す端末装置４０ａ，・・・の第３検知部４６ａ，・・・が、作業者の状態として、作業者の作業の経過時間、作業者の作業の残勤務時間、作業者の動作量、作業者の在席の連続時間及び作業者の在席の累積時間の少なくとも１つを検知してもよい。この場合、決定部１４（図２参照）が、第３検知部４６ａ，・・・から、制御部４２ａ，・・・と送受信部４１ａ，・・・とネットワーク８０と図２に示す送受信部１１と集中管理部１２とを経由して、作業者の状態の情報を受け取る。報知部１５が、加工情報（図１３参照）を生成部１３から受け取る。報知部１５が、作業者の状態の情報を決定部１４から受け取る。報知部１５が、加工情報（図１３参照）を作業者の状態とともに管理者へ報知する。したがって、作業者の作業の経過時間、作業者の作業の残勤務時間、作業者の動作量、作業者の在席の連続時間及び作業者の在席の累積時間のうち少なくとも１つとともに、加工情報（図１３参照）を管理者へ報知することができる。
【０１２９】
上記変形例（Ｃ）又は（Ｄ）において、図３に示す端末装置４０ａ，・・・の第３検知部４６ａ，・・・が、作業者の状態として、作業者の周囲の環境を検知してもよい。この場合、決定部１４（図２参照）が、制御部４２ａ，・・・と送受信部４１ａ，・・・とネットワーク８０と図２に示す送受信部１１と集中管理部１２とを経由して、作業者の状態の情報を第３検知部４６ａ，・・・（図３参照）から受け取る。報知部１５が、加工情報（図１３参照）を生成部１３から受け取る。報知部１５が、作業者の状態の情報を決定部１４から受け取る。報知部１５が、加工情報（図１３参照）を作業者の状態とともに管理者へ報知する。したがって、作業者の周囲の環境とともに、加工情報（図１３参照）を管理者へ報知することができる。
【０１３０】
（Ｇ）上記変形例（Ｄ）において、図３に示す端末装置４０ａ，・・・は、第４検知部４７ａ，・・・をさらに備えてもよい。この場合、決定部１４（図２参照）が、第３検知部４６ａ，・・・から、制御部４２ａ，・・・と送受信部４１ａ，・・・とネットワーク８０と送受信部１１（図２参照）と集中管理部１２（図２参照）とを経由して、作業者の状態の情報を受け取る。第４検知部４７ａ，・・・が、作業者の作業の成績を検知する。図２に示す管理センタ１０の決定部１４が、第４検知部４７ａ，・・・（図３参照）から、制御部４２ａ，・・・（図２参照）と送受信部４１ａ，・・・（図２参照）とネットワーク８０と送受信部１１と集中管理部１２とを経由して、作業者の作業の成績の情報を受け取る。管理者が決定部１４の情報を閲覧可能である。入力部１６に、作業者の状態と作業者の作業の成績とに基づいて、好適範囲（図７のインジケータ７１，インジケータ７２，図１３のインジケータ７９参照）が入力される。決定部１４が、集中管理部１２を経由して、好適範囲（図７のインジケータ７１，インジケータ７２，図１３のインジケータ７９参照）の情報を受け取る。他の作業者Ｐｂ，・・・が対象作業者である場合も同様である。これらの点で第１実施形態及び上記変形例（Ｃ）又は（Ｄ）と異なる。
【０１３１】
また、作業者管理システム１が複数の作業者Ｐａ，Ｐｂ，・・・をネットワーク８０経由で管理する処理の流れが、次の点で第１実施形態及び上記変形例（Ｃ）又は（Ｄ）と異なる。図１７では、作業者管理システム１が対象作業者Ｐａをネットワーク８０経由で管理する処理の流れについて説明するが、作業者管理システム１が対象作業者Ｐｂ，・・・をネットワーク８０経由で管理する場合についても同様である。
【０１３２】
図１７に示すステップＳ２１では、作業者の作業の成績が検知される。すなわち、図３に示す端末装置４０ａの第４検知部４７ａにより、作業者の作業の成績が検知される。制御部４２ａにより、作業者の作業の成績の情報が第４検知部４７ａから受け取られる。同様に、端末装置４０ｂ，・・・（図示せず）の第４検知部４７ｂ，・・・（図示せず）により、作業者の作業の成績の情報が検知される。制御部４２ｂ，・・・（図示せず）により、作業者の作業の成績の情報が第４検知部４７ｂ，・・・（図示せず）から受け取られる。図２に示す管理センタ１０の決定部１４により、制御部４２ａ，・・・から、送受信部４１ａ，・・・とネットワーク８０と送受信部１１と集中管理部１２とを経由して、作業者の作業の成績の情報が受け取られる。
【０１３３】
図１７に示すステップＳ２２では、好適範囲が入力される。すなわち、管理者により決定部１４の情報が閲覧されることが可能である。入力部１６に、作業者の状態と作業者の作業の成績とに基づいて、好適範囲（図７のインジケータ７１，インジケータ７２，図１３のインジケータ７９参照）が入力される。決定部１４により、集中管理部１２を経由して、好適範囲（図７のインジケータ７１，インジケータ７２，図１３のインジケータ７９参照）の情報が受け取られる。
【０１３４】
図１７に示すステップＳ２３では、報知がなされる。すなわち、報知部１５により、加工情報（図７参照）が生成部１３から受け取られる。報知部１５により、好適範囲（図７のインジケータ７１，インジケータ７２，図１３のインジケータ７９参照）の情報と作業者の状態の情報とが決定部１４から受け取られる。報知部１５により、加工情報（図７参照）が、作業者の状態及び好適範囲（図７のインジケータ７１，インジケータ７２，図１３のインジケータ７９参照）とともに管理者へ報知される。例えば、図１３に示す画面が報知される。
【０１３５】
したがって、作業者の状態と作業者の作業の成績とに基づいて好適範囲（図７のインジケータ７１，インジケータ７２，図１３のインジケータ７９参照）が入力されるので、好適範囲（図７のインジケータ７１，インジケータ７２，図１３のインジケータ７９参照）を正確に決めて設定することができる。
（Ｈ）上記変形例（Ｄ）〜（Ｆ）において、図２に示す管理センタ１０は、第３相関関係記憶部１９をさらに備えてもよい。この場合、第３相関関係記憶部１９が、制御部４２ａ，・・・（図３参照）と送受信部４１ａ，・・・（図３参照）とネットワーク８０と送受信部１１と集中管理部１２とを経由して、覚醒度等関連情報（図５参照）を第１検知部４４ａ，・・・（図３参照）から受け取る。第３相関関係記憶部１９が、制御部４２ａ，・・・（図３参照）と送受信部４１ａ，・・・（図３参照）とネットワーク８０と送受信部１１と集中管理部１２とを経由して、作業者の存在の情報を第２検知部４５ａ，・・・（図３参照）から受け取る。第３相関関係記憶部１９が、集中管理部１２を経由して、好適範囲（図７のインジケータ７１，インジケータ７２参照）の情報を決定部１４から受け取る。あるいは、第３相関関係記憶部１９が、集中管理部１２を経由して、好適範囲（図７のインジケータ７１，インジケータ７２参照）の情報を入力部１６から受け取る。第３相関関係記憶部１９が、覚醒度等関連情報（図５参照）と好適範囲（図７のインジケータ７１，インジケータ７２参照）との相関関係を、作業者毎に記憶する。したがって、覚醒度等関連情報（図５参照）と好適範囲（図７のインジケータ７１，インジケータ７２参照）との相関関係を作業者Ｐａ，Ｐｂ，・・・毎に記憶しているので、作業者Ｐａ，Ｐｂ，・・・の覚醒度が適切であるか否かを作業者Ｐａ，Ｐｂ，・・・毎に管理することができる。
【０１３６】
第３相関関係記憶部１９に記憶された相関関係は、例えば、図１８に示す相関関係であってもよい。作業者が対象作業者Ｐａである場合、覚醒度等関連情報（図５参照）と好適範囲（図７のインジケータ７１，インジケータ７２参照）との相関関係がグラフ９５ａａで示される。作業者が別の作業者Ｐｂである場合、覚醒度等関連情報（図５参照）と好適範囲（図７のインジケータ７１，インジケータ７２参照）との相関関係がグラフ９５ｂａで示される。
【０１３７】
あるいは、第３相関関係記憶部１９が、第１検知部４４ａ，・・・（図３参照）から、制御部４２ａ，・・・（図３参照）と送受信部４１ａ，・・・（図３参照）とネットワーク８０と送受信部１１と集中管理部１２とを経由して、覚醒度等関連情報（図５参照）を受け取る。第３相関関係記憶部１９が、集中管理部１２を経由して、好適範囲（図７のインジケータ７１，インジケータ７２参照）の情報を決定部１４から受け取る。あるいは、第３相関関係記憶部１９が、集中管理部１２を経由して、好適範囲（図７のインジケータ７１，インジケータ７２参照）の情報を入力部１６から受け取る。第３相関関係記憶部１９が、制御部４２ａ，・・・（図３参照）と送受信部４１ａ，・・・（図３参照）とネットワーク８０と送受信部１１と集中管理部１２とを経由して、作業者の状態の情報を第３検知部４６ａ，・・・（図３参照）から受け取る。第３相関関係記憶部１９が、覚醒度等関連情報（図５参照）と好適範囲（図７のインジケータ７１，インジケータ７２参照）との相関関係を、作業者の状態毎に記憶する。したがって、覚醒度等関連情報（図５参照）と好適範囲（図７のインジケータ７１，インジケータ７２参照）との相関関係を作業者の状態毎に記憶しているので、作業者Ｐａ，Ｐｂ，・・・の覚醒度が適切であるか否かを作業者の状態毎に管理することができる。
【０１３８】
第３相関関係記憶部１９に記憶された相関関係は、例えば、図１２に示す相関関係であってもよい。作業者の状態すなわち作業内容が単純である場合、覚醒度等関連情報（図５参照）と好適範囲（図７のインジケータ７１，インジケータ７２参照）との相関関係がグラフ９５ａａで示される。作業者の状態すなわち作業内容が普通である場合、覚醒度等関連情報（図５参照）と好適範囲（図７のインジケータ７１，インジケータ７２参照）との相関関係がグラフ９５ａｂで示される。作業者の状態すなわち作業内容が複雑である場合、覚醒度等関連情報（図５参照）と好適範囲（図７のインジケータ７１，インジケータ７２参照）との相関関係がグラフ９５ａｃで示される。
【０１３９】
あるいは、第３相関関係記憶部１９が、第１検知部４４ａ，・・・（図３参照）から、制御部４２ａ，・・・（図３参照）と送受信部４１ａ，・・・（図３参照）とネットワーク８０と送受信部１１と集中管理部１２とを経由して、覚醒度等関連情報（図５参照）を受け取る。第３相関関係記憶部１９が、第２検知部４５ａ，・・・（図３参照）から、制御部４２ａ，・・・（図３参照）と送受信部４１ａ，・・・（図３参照）とネットワーク８０と送受信部１１と集中管理部１２とを経由して、作業者の存在の情報を受け取る。第３相関関係記憶部１９が、集中管理部１２を経由して、好適範囲（図７のインジケータ７１，インジケータ７２参照）の情報を決定部１４から受け取る。あるいは、第３相関関係記憶部１９が、集中管理部１２を経由して、好適範囲（図７のインジケータ７１，インジケータ７２参照）の情報を入力部１６から受け取る。第３相関関係記憶部１９が、制御部４２ａ，・・・（図３参照）と送受信部４１ａ，・・・（図３参照）とネットワーク８０と送受信部１１と集中管理部１２とを経由して、作業者の状態の情報を第３検知部４６ａ，・・・（図３参照）から受け取る。第３相関関係記憶部１９が、覚醒度等関連情報（図５参照）と好適範囲（図７のインジケータ７１，インジケータ７２参照）との相関関係を、作業者の状態毎に作業者Ｐａ，Ｐｂ，・・・毎に記憶する。したがって、覚醒度等関連情報（図５参照）と好適範囲（図７のインジケータ７１，インジケータ７２参照）との相関関係を作業者の状態毎に作業者Ｐａ，Ｐｂ，・・・毎に記憶しているので、作業者の覚醒度等が適切であるか否かを作業者の状態毎に作業者Ｐａ，Ｐｂ，・・・毎に管理することができる。
【０１４０】
第３相関関係記憶部１９に記憶された相関関係は、例えば、図１２及び図１８に示す相関関係であってもよい。作業者の状態すなわち作業内容が単純であり、作業者が対象作業者Ｐａである場合、覚醒度等関連情報（図５参照）と好適範囲（図７のインジケータ７１，インジケータ７２参照）との相関関係がグラフ９５ａａで示される。作業者の状態すなわち作業内容が普通であり、作業者が対象作業者Ｐａである場合、覚醒度等関連情報（図５参照）と好適範囲（図７のインジケータ７１，インジケータ７２参照）との相関関係がグラフ９５ａｂで示される。作業者の状態すなわち作業内容が複雑であり、作業者が対象作業者Ｐａである場合、覚醒度等関連情報（図５参照）と好適範囲（図７のインジケータ７１，インジケータ７２参照）との相関関係がグラフ９５ａｃで示される。作業者の状態すなわち作業内容が単純であり、作業者が別の作業者Ｐｂである場合、覚醒度等関連情報（図５参照）と好適範囲（図７のインジケータ７１，インジケータ７２参照）との相関関係がグラフ９５ｂａで示される。
【０１４１】
上記変形例（Ｄ）において、図２に示す決定部１４は、集中管理部１２経由で第３相関関係記憶部１９を参照することにより、好適範囲を決定してもよい。
（Ｉ）図３に示す端末装置４０ａ，・・・は、第１入力部４８ａ，・・・をさらに備えてもよい。この場合、第１入力部４８ａに、第１申告情報が入力される。ここで、第１申告情報は、覚醒度等関連情報（図５参照）に関する作業者Ｐａの主観である。第２検知部４５ａが、対象作業者Ｐａの存在を別の作業者Ｐｂ，・・・と区別して検知する。図２に示す管理センタ１０の送受信部１１が、対象作業者Ｐａの第１申告情報を、対象作業者Ｐａの覚醒度等関連情報（図５参照）としてネットワーク８０経由で受信する。他の作業者Ｐｂ，・・・が対象作業者である場合も同様である。したがって、第１申告情報が入力され、覚醒度等関連情報（図５参照）としてネットワーク８０経由で受信するので、覚醒度等関連情報（図５参照）を確実に管理することができる。他の第１入力部４８ｂ，・・・についても、第１入力部４８ａと同様である。
【０１４２】
このとき、図２に示す管理センタ１０は、第２相関関係記憶部１８をさらに備えてもよい。すなわち、図３に示す端末装置４０ａの第１検知部４４ａが、覚醒度等関連情報（図５参照）を検知する。第２検知部４５ａが、対象作業者Ｐａの存在を別の作業者Ｐｂ，・・・と区別して検知する。対象作業者Ｐａの存在と第１検知部４４ａが検知した覚醒度等関連情報（図５参照）とを関連付けることができる。第１入力部４８ａに、第１申告情報が入力される。第２相関関係記憶部１８が、第１検知部が検知した覚醒度等関連情報（図５参照）と第１入力部に入力された第１申告情報と対象作業者Ｐａの存在の情報とを受け取る。第２相関関係記憶部１８が、第１検知部４４ａが検知した覚醒度等関連情報（図５参照）と第１入力部４８ａに入力された第１申告情報との相関関係を作業者Ｐａ，Ｐｂ，・・・毎に記憶する。他の作業者Ｐｂ，・・・が対象作業者である場合も同様である。したがって、第１検知部が検知した覚醒度等関連情報（図５参照）と第１入力部に入力された第１申告情報との相関関係を作業者Ｐａ，Ｐｂ，・・・毎に記憶するので、覚醒度の個人差を管理することができる。
【０１４３】
第２相関関係記憶部１８は、図１９に示すように、主として作業者欄１８１，覚醒度欄１８２及び第１申告情報欄１８３を備える。作業者欄１８１は、対象作業者Ｐａを別の作業者Ｐｂ，・・・と区別するための情報である。覚醒度欄１８２は、覚醒レベルが適度な値に比べて高いか否かを示す。第１申告情報欄１８３は、第１入力部４８ａ，・・・に入力された作業者Ｐａ，・・・の主観である。図１９に示す場合、作業者Ｐａは、覚醒度欄１８２が「やや高い」状態であり、第１申告情報欄１８３が「適度」である。それに対し、作業者Ｐｂは、覚醒度欄１８２が「やや高い」状態であり、第１申告情報欄１８３が「やや高い」である。すなわち、作業者Ｐａの方が作業者Ｐｂよりも適度な覚醒度が高めである。そこで、上記変形例（Ｈ）の第３相関関係記憶部１９に記憶されている相関関係が、図１８に示すように、作業者Ｐａの方が作業者Ｐｂよりも適度な覚醒度が高めになるように修正される。作業者が作業者Ｐａである場合、覚醒度等関連情報（図５参照）と好適範囲（図７のインジケータ７１，インジケータ７２参照）との相関関係がグラフ９５ａａで示される。作業者が作業者Ｐｂである場合、覚醒度等関連情報（図５参照）と好適範囲（図７のインジケータ７１，インジケータ７２参照）との相関関係がグラフ９５ｂａで示される。
【０１４４】
（Ｊ）図２に示す管理センタ１０は、入力部１６をさらに備えてもよい。この場合、入力部１６に、第１アドバイスが入力される。ここで、第１アドバイスは、対象作業者Ｐａの覚醒度等関連情報（図５参照）に対する管理者のアドバイスである。管理者は、例えば、産業医とすることができる。報知部１５が、集中管理部１２と生成部１３とを経由して、第１アドバイスを入力部１６から受け取る。報知部１５が、第１アドバイスを送受信部１１へ渡す。送受信部１１が、第１アドバイスをネットワーク８０経由で端末装置４０ａへ送信する。すなわち、送受信部１１が、第１アドバイスをネットワーク８０経由で対象作業者Ｐａへ送信する。他の作業者Ｐｂ，・・・が対象作業者である場合も同様である。これらの点で第１実施形態と異なる。
【０１４５】
また、作業者管理システム１が複数の作業者Ｐａ，Ｐｂ，・・・をネットワーク８０経由で管理する処理の流れが、次の点で第１実施形態と異なる。図２０では、作業者管理システム１が対象作業者Ｐａをネットワーク８０経由で管理する処理の流れについて説明するが、作業者管理システム１が対象作業者Ｐｂ，・・・をネットワーク８０経由で管理する場合についても同様である。
【０１４６】
図２０に示すステップＳ３１では、第１アドバイスが入力される。すなわち、加工情報（図７参照）に基づいて、第１アドバイスが決められる。入力部１６に、第１アドバイスが入力される。報知部１５により、集中管理部１２と生成部１３とを経由して、第１アドバイスが入力部１６から受け取られる。
図２０に示すステップＳ３２では、第１アドバイスが送信される。すなわち、報知部１５により、第１アドバイスが送受信部１１へ渡される。送受信部１１により、第１アドバイスがネットワーク８０経由で端末装置４０ａへ送信される。すなわち、送受信部１１により、第１アドバイスがネットワーク８０経由で対象作業者Ｐａへ送信される。
【０１４７】
したがって、入力部１６に入力された第１アドバイスをネットワーク８０経由で端末装置４０ａへ送信するので、対象作業者Ｐａの覚醒度が適度な値でない場合に、対象作業者Ｐａへ覚醒度の改善方法について提案することを容易にすることができる。なお、他の作業者Ｐｂ，・・・が対象作業者である場合も同様である。
（Ｋ）上記変形例（Ｊ）において、図２に示す管理センタ１０は、第１アドバイス情報２１をさらに備えてもよい。この場合、図２０に示すステップＳ３１において、第１アドバイスが集中管理部１２から第１アドバイス情報２１へ渡される。これらの点で上記変形例（Ｊ）と異なる。したがって、第１アドバイスの履歴が管理される。このとき、第１アドバイス情報２１は、図２１に示すように、主として作業者欄２１１と第１アドバイス欄２１２とを備える。作業者欄２１１には、対象作業者Ｐａを別の作業者Ｐｂ，・・・と区別するための情報が記憶されている。第１アドバイス欄２１２には、入力部１６に入力された第１アドバイスの情報が記憶されている。第１アドバイス情報２１を参照することにより，例えば，作業者Ｐａに提案した第１アドバイスが「１０分後に離席し、５分休憩を取って下さい」であることが分かる。
【０１４８】
上記変形例（Ｊ）において、図２に示す管理センタ１０は、第１アドバイス情報２１ａをさらに備えており、集中管理部１２が第１アドバイスを選択してもよい。この場合、図２０に示すステップＳ１より前のステップにおいて、図２に示す入力部１６に、第１アドバイスがあらかじめ入力されている。入力部１６により、第１アドバイスが集中管理部１２へ渡される。第１アドバイスは、集中管理部１２から第１アドバイス情報２１ａ（第１アドバイス情報２１参照）へ渡され、第１アドバイス情報２１ａとして記憶されている。図２０に示すステップ３１において、第１アドバイスが選択される。すなわち、図２に示す集中管理部１２により、第１アドバイス情報２１ａ（第１アドバイス情報２１参照）が参照され、第１アドバイスが選択される。報知部１５により、生成部１３を経由して、第１アドバイスが集中管理部１２から受け取られる。これらの点で上記変形例（Ｊ）と異なる。したがって、集中管理部１２が選択した第１アドバイスをネットワーク８０経由で対象作業者Ｐａ，Ｐｂ，・・・へ送信するので、対象作業者Ｐａ，Ｐｂ，・・・の覚醒度が適度な値でない場合に、対象作業者Ｐａ，Ｐｂ，・・・へ覚醒度の改善方法について提案することを容易にすることができる。
【０１４９】
このとき、第１アドバイス情報２１ａは、図２２に示すように、主として覚醒度欄２１３と第１アドバイス欄２１２とを備える。覚醒度欄２１３には、覚醒度が適度な値に対して高いか否かを示す情報が記憶されている。第１アドバイス欄２１２には、入力部１６に入力された第１アドバイスの情報が記憶されている。第１アドバイス情報２１ａを参照することにより，例えば，覚醒度が適度な値よりも高い作業者に提案すべき第１アドバイスが「ゆっくりした音楽をＢＧＭにして下さい」であることが分かる。
【０１５０】
（Ｌ）上記変形例（Ｊ）において、図３に示す端末装置４０ａ，・・・は、第３検知部４６ａ，・・・をさらに備えてもよい。図２に示す管理センタ１０は、決定部１４をさらに備えてもよい。この場合、図２０に示すステップＳ５の代わりに、上記変形例（Ｃ）と同様に、図１１に示すステップＳ１１とステップＳ１２とが入ることになる。図２０に示すステップＳ３１では、加工情報（図１３参照）と作業者の状態とに基づいて、第２アドバイスを決めることが可能である。ここで、第２アドバイスは、対象作業者の覚醒度等関連情報（図５参照）に対する作業者の状態に基づく管理者のアドバイスである。管理者は、例えば、産業医とすることができる。図２に示す入力部１６に、第２アドバイスが入力される。報知部１５により、集中管理部１２と生成部１３とを経由して、第２アドバイスが入力部１６から受け取られる。図２０に示すステップＳ３２では、図２に示す管理センタ１０の報知部１５により、第２アドバイスが生成部１３から受け取られる。送受信部１１により、第２アドバイスがネットワーク８０経由で端末装置４０ａへ送信される。すなわち、送受信部１１により、第２アドバイスがネットワーク８０経由で対象作業者Ｐａへ送信される。これらの点で上記変形例（Ｊ）と異なる。したがって、入力部１６に入力された第２アドバイスをネットワーク８０経由で対象作業者Ｐａ，Ｐｂ，・・・へ送信するので、対象作業者Ｐａ，Ｐｂ，・・・の覚醒度が適度な値でない場合に、対象作業者Ｐａ，Ｐｂ，・・・へ覚醒度の改善方法について提案することを容易にすることができる。
【０１５１】
（Ｍ）上記変形例（Ｌ）において、図２に示す管理センタ１０は、第２アドバイス情報２２をさらに備えてもよい。この場合、図２０に示すステップＳ３１において、第２アドバイスが集中管理部１２から第２アドバイス情報２２へ渡される。これらの点で上記変形例（Ｌ）と異なる。したがって、第２アドバイスの履歴が管理される。
このとき、第２アドバイス情報２２は、例えば、図２３に示すように、主として作業者欄２２１と作業の種類欄２２２と第２アドバイス欄２２３とを備える。作業者欄２２１は、対象作業者Ｐａを別の作業者Ｐｂ，・・・と区別するための情報である。作業の種類欄２２２は、作業者Ｐａ，Ｐｂ，・・・が行っている作業の種類を示す。第２アドバイス欄２２３は、入力部１６に入力された第２アドバイスである。第２アドバイス情報２２を参照することにより，例えば，単純な作業を行っている作業者Ｐａに提案した第２アドバイスが「頭部に冷風を当てて下さい」であることが分かる。
【０１５２】
上記変形例（Ｌ）において、図２に示す管理センタ１０は、第２アドバイス情報２２ａをさらに備えており、集中管理部１２が第２アドバイスを選択してもよい。この場合、図２０に示すステップＳ１より前のステップにおいて、図２に示す入力部１６に、第２アドバイスがあらかじめ入力されている。入力部１６は、第２アドバイスを集中管理部１２へ渡す。第２アドバイスは、集中管理部１２から第２アドバイス情報２２ａへ渡され、第２アドバイス情報２２ａ（第２アドバイス情報２２参照）として記憶されている。図２０に示すステップ３１において、第２アドバイスが選択される。すなわち、集中管理部１２により、第２アドバイスが選択される。報知部１５により、生成部１３を経由して、第２アドバイスが集中管理部１２から受け取られる。送受信部１１により、第２アドバイスがネットワーク８０経由で端末装置４０ａへ送信される。すなわち、送受信部１１により、第２アドバイスがネットワーク８０経由で端末装置４０ａへ送信される。これらの点で上記変形例（Ｌ）と異なる。したがって、集中管理部１２が選択した第２アドバイスをネットワーク８０経由で対象作業者Ｐａ，Ｐｂ，・・・へ送信するので、対象作業者Ｐａ，Ｐｂ，・・・の覚醒度が適度な値でない場合に、対象作業者Ｐａ，Ｐｂ，・・・へ覚醒度の改善方法について提案することを容易にすることができる。このとき、第２アドバイス情報２２ａは、図２４に示すように、主として覚醒度欄２２４と作業の種類欄２２２と第２アドバイス欄２２３とを備える。覚醒度欄２２４には、覚醒度が好適範囲に対して高いか否かを示す情報が記憶されている。作業の種類欄２２２には、作業者Ｐａ，Ｐｂ，・・・が行っている作業の種類を示す情報が記憶されている。第２アドバイス欄２２３には、入力部１６に入力された第２アドバイスの情報が記憶されている。第２アドバイス情報２２ａを参照することにより，例えば，作業者の覚醒度が適度な値よりもやや低く、作業者が単純な作業を行っている場合に、作業者に提案すべき第２アドバイスが「頭部に冷風を当てて下さい」であることが分かる。
【０１５３】
（Ｎ）図３に示すように、端末装置４０ａ，・・・は、第２入力部４９ａ，・・・をさらに備えてもよい。この場合、第２入力部４９ａ，・・・に、第２申告情報が入力される。第２申告情報が、好適範囲に関する作業者Ｐａ，・・・の主観である。報知部１５（図２参照）が、第２入力部４９ａ，・・・から、制御部４２ａ，・・・と送受信部４１ａ，・・・とネットワーク８０と送受信部１１（図２参照）と集中管理部１２（図２参照）と決定部１４（図２参照）とを経由して、第２申告情報を好適範囲の情報として受け取る。これらの点で第１実施形態と異なる。したがって、第２申告情報が入力され、好適範囲の情報としてネットワーク８０経由で受信するので、作業者の設定した好適範囲を管理することができる。
【０１５４】
図３に示すように、端末装置４０ａ，・・・は、第３入力部５１ａ，・・・をさらに備えてもよい。この場合、第３入力部５１ａ，・・・に、第３申告情報が入力される。第３申告情報が、作業者の状態に関する作業者Ｐａ，・・・の主観又は申告である。決定部１４（図２参照）が、第３入力部５１ａ，・・・から、制御部４２ａ，・・・と送受信部４１ａ，・・・とネットワーク８０と送受信部１１（図２参照）と集中管理部１２（図２参照）とを経由して、第３申告情報を作業者の状態の情報として受け取る。これらの点で第１実施形態と異なる。したがって、第３申告情報が入力され、作業者の状態の情報としてネットワーク８０経由で受信するので、作業者の状態を確実に管理することができる。
【０１５５】
図３に示すように、端末装置４０ａ，・・・は、第４入力部５２ａ，・・・をさらに備えてもよい。この場合、第４入力部５２ａ，・・・に、第４申告情報が入力される。第４申告情報が、作業者の作業の成績に関する作業者Ｐａ，・・・の主観である。決定部１４（図２参照）が、第４入力部５２ａ，・・・から、制御部４２ａ，・・・と送受信部４１ａ，・・・とネットワーク８０と送受信部１１（図２参照）と集中管理部１２（図２参照）とを経由して、第４申告情報を作業者の作業の成績の情報として受け取る。これらの点で第１実施形態と異なる。したがって、第４申告情報が入力され、作業者の作業の成績の情報としてネットワーク８０経由で受信するので、作業者の作業の成績を確実に管理することができる。また、入力部１６（図２参照）に、作業者の状態と作業者の作業の成績とに基づいて、好適範囲が入力されるので、作業者Ｐａ，Ｐｂ，・・・の覚醒度が適切であるか否かを正確に管理することができる。
【０１５６】
（Ｏ）図２に示すように、管理センタ１０は、第４相関関係記憶部２３をさらに備えてもよい。図３に示すように、端末装置４０ａ，・・・は、第５入力部５３ａ，・・・をさらに備えてもよい。この場合、図３に示す第５入力部５３ａ，・・・に、作業者Ｐａ，Ｐｂ，・・・の職種が入力される。第４相関関係記憶部２３（図２参照）が、第５入力部５３ａ，・・・から、制御部４２ａ，・・・と送受信部５４ａ，・・・とネットワーク３０と送受信部１１（図２参照）と集中管理部１２（図２参照）と決定部１４（図２参照）とを経由して、作業者Ｐａ，Ｐｂ，・・・の職種の情報を受け取る。図２に示す第４相関関係記憶部２３が、覚醒度等関連情報（図５参照）を集中管理部１２から受け取る。第４相関関係記憶部２３が、対象作業者の職種と覚醒度等関連情報（図５参照）との相関関係を記憶する。生成部１３が、加工情報（図７参照）を生成する際に、第４相関関係記憶部２３を集中管理部１２経由で参照する。これらの点で第１実施形態と異なる。
【０１５７】
したがって、作業者Ｐａ，Ｐｂ，・・・の職種と覚醒度等関連情報（図５参照）との相関関係を記憶するので、作業者Ｐａ，Ｐｂ，・・・の職種別に生成された加工情報（図７参照）を管理者が把握することができる。このため、対象作業者Ｐａの覚醒度が適度な値でない場合に、その原因が対象作業者Ｐａの個人的な原因であるのか対象作業者Ｐａと別の作業者Ｐｂ，・・・とに共通した原因であるのかを対象作業者Ｐａの職種別に判断することができる。あるいは、作業者Ｐａ，Ｐｂ，・・・の職種を所定のグループとして所定のグループ間で比較した加工情報（図７参照）を生成することができる。このため、対象作業者Ｐａの職種の覚醒度が適度な値でない場合に、その原因が対象作業者Ｐａの職種に特有の原因であるのか対象作業者Ｐａの職種と別の職種とに共通した原因であるのかを判断することができる。他の作業者Ｐｂ，・・・が対象作業者となる場合も同様である。
【０１５８】
例えば、図２５に示すグラフ８９，８９ａが管理者へ報知されてもよい。グラフ８９，８９ａにおいて、縦軸が度数を示し、横軸が疲労度の現在値を示す。グラフ８９は、報知作業者群（Ｐａ，Ｐｂ，・・・）の疲労度の分布を示す。グラフ８９ａは、作業者Ｐａの職種の疲労度の分布を示す。対象作業者Ｐａの疲労度が、グラフ８９，８９ａにおいてともにインジケータ８３ａで示される。グラフ８９を参照することにより、対象作業者Ｐａの疲労度が報知作業者群（Ｐａ，Ｐｂ，・・・）において相対的に大きいことが分かる。一方、グラフ８９ａを参照することにより、対象作業者Ｐａの疲労度が対象作業者Ｐａの職種において平均的な値であることが分かる。報知作業者群（Ｐａ，Ｐｂ，・・・）のグラフ８９と作業者Ｐａの職種のグラフ８９ａとを比較することにより、対象作業者Ｐａの疲労度が報知作業者群（Ｐａ，Ｐｂ，・・・）において相対的に大きい理由が対象作業者Ｐａの職種に特有なものであることが分かる。具体的には、例えば、対象作業者Ｐａの職種が外回りの営業でありグラフ８９，８９ａが猛暑における分布を表しているような場合、対象作業者Ｐａの職種の疲労度が他の職種の疲労度に比べて大きくなることが多いため、グラフ８９とグラフ８９ａとのような分布になることが予想される。なお、報知作業者群（Ｐａ，Ｐｂ，・・・）の疲労度の全平均値と対象作業者Ｐａの職種の疲労度の全平均値とがグラフ８９，８９ａにさらに示されていてもよい。この場合、対象作業者Ｐａの疲労度が報知作業者群（Ｐａ，Ｐｂ，・・・）において相対的に大きい理由が対象作業者Ｐａの職種に特有なものであることがさらに明確に分かる。
【０１５９】
例えば、図２６に示すグラフ８８，８８ａが管理者へ報知されてもよい。グラフ８８，８８ａにおいて、縦軸が度数を示し、横軸が１日におけるストレス度の平均値を示す。グラフ８８は、報知作業者群（Ｐａ，Ｐｂ，・・・）のストレス度の平均値の分布を示す。グラフ８８ａは、作業者Ｐａの職種のストレス度の平均値の分布を示す。対象作業者Ｐａのストレス度の平均値が、グラフ８８，８８ａにおいてともにインジケータ８４ａで示される。グラフ８８を参照することにより、対象作業者Ｐａのストレス度の平均値が報知作業者群（Ｐａ，Ｐｂ，・・・）において相対的に大きいことが分かる。一方、グラフ８８ａを参照することにより、対象作業者Ｐａのストレス度の平均値が対象作業者Ｐａの職種において平均的な値であることが分かる。報知作業者群（Ｐａ，Ｐｂ，・・・）のグラフ８８と作業者Ｐａの職種のグラフ８８ａとを比較することにより、対象作業者Ｐａのストレス度の平均値が報知作業者群（Ｐａ，Ｐｂ，・・・）において相対的に大きい理由が対象作業者Ｐａの職種に特有なものであることが分かる。具体的には、例えば、対象作業者Ｐａの職種が内勤の事務職でありグラフ８８，８８ａが真夏の割に低温である日における分布を表しているような場合、対象作業者Ｐａの職種のストレス度の平均値が他の職種のストレス度の平均値に比べて大きくなることが多いため、グラフ８８とグラフ８８ａとのような分布になることが予想される。なお、報知作業者群（Ｐａ，Ｐｂ，・・・）のストレス度の全平均値と対象作業者Ｐａの職種のストレス度の全平均値とがグラフ８８，８８ａにさらに示されていてもよい。この場合、対象作業者Ｐａの疲労度が報知作業者群（Ｐａ，Ｐｂ，・・・）において相対的に大きい理由が対象作業者Ｐａの職種に特有なものであることがさらに明確に分かる。
【０１６０】
例えば、図２７に示すグラフ８７ａ，８７ｂが管理者へ報知されてもよい。グラフ８７ａ，８７ｂにおいて、縦軸が度数を示し、横軸が１週間における疲労度の平均値を示す。グラフ８７ａは、作業者Ｐａと同じ職種であり作業者Ｐａと同じ居室にいる作業者のストレス度の平均値の分布を示す。グラフ８７ａは、作業者Ｐａと同じ職種であるが作業者Ｐａと異なる居室にいる作業者のストレス度の平均値の分布を示す。作業者Ｐａと同じ居室にいる作業者のグラフ８７ａと作業者Ｐａと異なる居室にいる作業者のグラフ８７ｂとを比較することにより、対象作業者Ｐａのストレス度の平均値が報知作業者群（Ｐａ，Ｐｂ，・・・）において相対的に大きい場合に、その理由が、対象作業者Ｐａの職種に特有なものでなく、作業者Ｐａと同じ居室にいる作業者に特有なものであることが分かる。すなわち、作業者Ｐａがいる居室自体に問題があると判断することができる。一方、グラフ８７ａ，８７ｂとがほぼ同様の分布であれば、対象作業者Ｐａのストレス度の平均値が報知作業者群（Ｐａ，Ｐｂ，・・・）において相対的に大きい場合に、その理由が、作業者Ｐａと同じ居室にいる作業者と作業者Ｐａと異なる居室にいる作業者とに共通したものであることが分かる。したがって、対象作業者Ｐａの職種に特有なものである可能性があると判断することができる。
【０１６１】
（Ｐ）第１実施形態の変形例（Ｏ）において、図３に示す第５入力部５３ａ，・・・には、作業者の職種、作業者の業種、作業者の年齢、作業者の性別、作業者の勤務形態、作業者の通勤形態及び作業者の通勤時間の少なくとも１つが入力されてもよい。図２に示す第４相関関係記憶部２３は、作業者の職種、作業者の業種、作業者の年齢、作業者の性別、作業者の勤務形態、作業者の通勤形態及び作業者の通勤時間の少なくとも１つと覚醒度等関連情報との相関関係を記憶してもよい。この場合でも、作業者Ｐａ，Ｐｂ，・・・の職種等と覚醒度等関連情報（図５参照）との相関関係を記憶するので、作業者Ｐａ，Ｐｂ，・・・の職種等別に生成された加工情報（図７参照）を管理者が把握することができる。このため、対象作業者Ｐａの覚醒度が適度な値でない場合に、その原因が対象作業者Ｐａの個人的な原因であるのか対象作業者Ｐａと別の作業者とに共通した原因であるのかを対象作業者Ｐａの職種等別に判断することができる。あるいは、作業者Ｐａ，Ｐｂ，・・・の職種等を所定のグループとして所定のグループ間で比較した加工情報（図７参照）を生成することができる。このため、対象作業者Ｐａの職種等の覚醒度が適度な値でない場合に、その原因が対象作業者Ｐａの職種等に特有の原因であるのか対象作業者Ｐａの職種等と別の職種等とに共通した原因であるのかを判断することができる。他の作業者Ｐｂ，・・・が対象作業者となる場合も同様である。なお、作業者の勤務形態は、例えば、日勤、夜勤、二交代、三交代、裁量労働、在宅労働、フレックス勤務、短時間勤務、パートタイム勤務、アルバイト、日雇い、臨時雇い、派遣勤務、契約勤務などであってもよい。
【０１６２】
（Ｑ）図２８に示すように、作業者管理システム１ｎは、ローカル管理センタ１０ｎとローカルエリアネットワーク３０とをさらに備えてもよい。ここで、ローカル管理センタ１０ｎの構成要素は、図２９に示すように、管理センタ１０の構成要素（図２参照）と同様である。図２９に示すローカル管理センタ１０ｎの作用も、管理センタ１０の作用と同様である。ローカル管理センタ１０ｎと端末装置４０ａ，・・・とは、ローカルエリアネットワーク３０で接続され、ローカルエリア５ｎ内に設置されている。また、図３０に示すように、端末装置４０ａｎ，・・・は、送受信部５４ａｎ，・・・をさらに備える。
【０１６３】
この場合、図２９に示す送受信部１１ｎが、覚醒度等関連情報（図５参照）と作業者Ｐａ，Ｐｂ，・・・の存在の情報とをローカルエリアネットワーク３０経由で受信する。また、集中管理部１２ｎが、複数の作業者Ｐａ，Ｐｂ，・・・のうち報知作業者群（Ｐａ，Ｐｂ，・・・）について、覚醒度等関連情報（図５参照）をローカルエリアネットワーク３０経由で集中的に管理する。さらに、報知部１５ｎが、加工情報（図７参照）をローカル管理者へ報知する。ここで、ローカル管理者は、複数の作業者Ｐａ，Ｐｂ，・・・をローカルエリアネットワーク３０経由で管理する者である。すなわち、加工情報（図７参照）がローカル管理センタ１０ｎの表示画面（図示せず）に映し出される。これらの点で第１実施形態と異なる。したがって、ローカル管理者へ加工情報（図７参照）を報知するので、ローカル管理者が複数の作業者Ｐａ，Ｐｂ，・・・をローカルエリアネットワーク３０経由で管理することを容易にすることができる。なお、ローカル管理者は、複数の作業者Ｐａ，Ｐｂ，・・・の作業を管理する人であってもよいし、ローカルエリア５ｎ内で複数の作業者Ｐａ，Ｐｂ，・・・の健康などを管理する保健衛生スタッフのようなものであってもよい。
【０１６４】
なお、作業者管理システム１ｎは、管理センタ１０とネットワーク８０とを備えなくてもよい。この場合でも、覚醒度等関連情報（図５参照）を報知作業者群（Ｐａ，Ｐｂ，・・・）について比較しながらローカル管理者が把握することが可能であるので、対象作業者Ｐａの覚醒度が適度な値でない場合に、その原因が対象作業者Ｐａの個人的な原因であるのか対象作業者Ｐａと別の作業者Ｐｂ，・・・とに共通した原因であるのかを判断することが可能である。他の作業者Ｐｂ，・・・が対象作業者となる場合も同様である。このため、覚醒度が適度な値でない作業者Ｐａ，Ｐｂ，・・・に覚醒度の改善方法をローカル管理者から提案することが容易になるので、作業者Ｐａ，Ｐｂ，・・・の生産性が向上する。
【０１６５】
［第２実施形態］
本発明の第２実施形態に係る作業者管理システム１００を図３１に示す。また、作業者管理システム１００の各構成要素の構成図を図３２，図３３に示す。図３１〜図３３において、図１〜図３の作業者管理システム１の構成要素と同様の構成要素は同じ番号で示してある。図３１に示す作業者管理システム１００は、主として複数の作業者Ｐａ，Ｐｂ，・・・をネットワーク８０経由で管理するためのシステムである。
【０１６６】
この作業者管理システム１００は、図３１〜図３３に示すように、基本的な構造は第１実施形態と同様であり各構成要素は図２，図３と同様であるが、報知のための処理が端末装置群１４０（１４０ａ，１４０ｂ，・・・）で行われる点が第１実施形態と異なる。すなわち、図３２に示す管理センタ１１０は、報知部１５を備えていない。図３３に示す端末装置１４０ａの報知部１４３ａが、加工情報（図７参照）を、生成部１３から、集中管理部１１２と送受信部１１とネットワーク８０と送受信部４１ａと制御部１４２ａとを経由して受け取る。報知部１４３ａは、報知のための処理を行い、加工情報（図７参照）を、送受信部４１ａとネットワーク８０と送受信部１１と集中管理部１１２とを経由して管理者へ報知する。他の作業者Ｐｂ，・・・が対象作業者となる場合も同様である。これらの点で第１実施形態と異なる。
【０１６７】
覚醒度等関連情報（図５参照）を報知作業者群（Ｐａ，Ｐｂ，・・・）について比較しながら管理者へ報知することが可能であるので、対象作業者Ｐａの覚醒度が適度な値でない場合に、その原因が対象作業者Ｐａの個人的な原因であるのか対象作業者Ｐａと別の作業者Ｐｂ，・・・とに共通した原因であるのかを判断することが可能である点は、第１実施形態と同様である。他の作業者Ｐｂ，・・・が対象作業者となる場合も第１実施形態と同様である。したがって、このような作業者管理システム１００によっても、覚醒度が適度な値でない作業者Ｐａ，Ｐｂ，・・・に覚醒度の改善方法を管理者から提案することが容易になるので、作業者Ｐａ，Ｐｂ，・・・の生産性が向上する。
【０１６８】
＜第２実施形態の変形例＞
（Ａ）図３４に示すように、作業者管理システム１００ｎは、ローカル管理センタ１１０ｎとローカルエリアネットワーク３０とをさらに備えてもよい。ここで、ローカル管理センタ１１０ｎの構成要素は、図３５に示すように、管理センタ１１０の構成要素（図３２参照）と同様である。図３５に示すローカル管理センタ１１０ｎの作用も、管理センタ１１０の作用と同様である。ローカル管理センタ１１０ｎと端末装置１４０ａ，・・・とは、ローカルエリアネットワーク３０で接続され、ローカルエリア１０５ｎ内に設置されている。また、図３６に示すように、端末装置１４０ａｎ，・・・は、送受信部５４ａｎ，・・・をさらに備える。
【０１６９】
この場合、図３５に示す送受信部１１ｎが、覚醒度等関連情報（図５参照）と作業者Ｐａ，Ｐｂ，・・・の存在の情報とをローカルエリアネットワーク３０経由で受信する。また、集中管理部１１２ｎが、複数の作業者Ｐａ，Ｐｂ，・・・のうち報知作業者群（Ｐａ，Ｐｂ，・・・）について、覚醒度等関連情報（図５参照）をローカルエリアネットワーク３０経由で集中的に管理する。さらに、図３３に示す端末装置１４０ａ，・・・の報知部１４３ａ，・・・は、報知のための処理を行い、加工情報（図７参照）を、送受信部５４ａｎ，・・・とローカルエリアネットワーク３０と送受信部１１ｎと集中管理部１１２ｎとを経由してローカル管理者へ報知する。ここで、ローカル管理者は、複数の作業者Ｐａ，Ｐｂ，・・・をローカルエリアネットワーク３０経由で管理する者である。これらの点で第２実施形態と異なる。したがって、ローカル管理者へ加工情報（図７参照）を報知するので、ローカル管理者が複数の作業者Ｐａ，Ｐｂ，・・・をローカルエリアネットワーク３０経由で管理することを容易にすることができる。なお、ローカル管理者は、複数の作業者Ｐａ，Ｐｂ，・・・の作業を管理する人であってもよいし、ローカルエリア１０５ｎ内で複数の作業者Ｐａ，Ｐｂ，・・・の健康などを管理する保健衛生スタッフのようなものであってもよい。
【０１７０】
なお、作業者管理システム１００ｎは、管理センタ１１０とネットワーク８０とを備えなくてもよい。この場合でも、覚醒度等関連情報（図５参照）を報知作業者群（Ｐａ，Ｐｂ，・・・）について比較しながらローカル管理者が把握することが可能であるので、対象作業者Ｐａの覚醒度が適度な値でない場合に、その原因が対象作業者Ｐａの個人的な原因であるのか対象作業者Ｐａと別の作業者Ｐｂ，・・・とに共通した原因であるのかを判断することが可能である。他の作業者Ｐｂ，・・・が対象作業者となる場合も同様である。このため、覚醒度が適度な値でない作業者Ｐａ，Ｐｂ，・・・に覚醒度の改善方法をローカル管理者から提案することが容易になるので、作業者Ｐａ，Ｐｂ，・・・の生産性が向上する。
【０１７１】
［第３実施形態］
本発明の第３実施形態に係る作業者管理システム２００を図３７に示す。また、作業者管理システム２００の各構成要素の構成図を図３８，図３１図３９に示す。図３７〜図３１図３９において、図１〜図３の報知システム１の構成要素と同様の構成要素は同じ番号で示してある。図３７に示す作業者管理システム２００は、主として複数の作業者Ｐａ，Ｐｂ，・・・をネットワーク８０経由で管理するためのシステムである。
【０１７２】
この作業者管理システム２００は、図３７〜図３１図３９に示すように、基本的な構造は第１実施形態と同様であり各構成要素は図２，図３と同様であるが、加工情報（図７参照）の生成が端末装置群２４０（２４０ａ，２４０ｂ，・・・）で行われる点が第１実施形態と異なる。すなわち、図３８に示す管理センタ２１０が、生成部１３を備えていない。図３１図３９に示す端末装置２４０ａが、生成部２５３ａをさらに備えている。図３１図３９に示す端末装置２４０ａの生成部２５３ａが、対象作業者Ｐａの覚醒度等関連情報（図５参照）と別の作業者Ｐｂ，・・・の覚醒度等関連情報（図５参照）とを、第１相関関係記憶部１７から、集中管理部２１２と送受信部１１とネットワーク８０と送受信部４１ａと制御部２４２ａとを経由して受け取る。生成部２５３ａが、報知作業者群（Ｐａ，Ｐｂ，・・・）の覚醒度等関連情報（図５参照）に基づいて、加工情報（図７参照）を生成する。生成部２５３ａが、加工情報（図７参照）を報知部１４３ａへ渡す。他の作業者Ｐｂ，・・・が対象作業者となる場合も同様である。これらの点で第１実施形態及び第２実施形態と異なる。
【０１７３】
覚醒度等関連情報（図５参照）を報知作業者群（Ｐａ，Ｐｂ，・・・）について比較しながら管理者が把握することが可能であるので、対象作業者Ｐａの覚醒度が適度な値でない場合に、その原因が対象作業者Ｐａの個人的な原因であるのか対象作業者Ｐａと別の作業者Ｐｂ，・・・とに共通した原因であるのかを判断することが可能である点は、第１実施形態と同様である。他の作業者Ｐｂ，・・・が対象作業者となる場合も第１実施形態及び第２実施形態と同様である。したがって、このような作業者管理システム２００によっても、覚醒度が適度な値でない作業者Ｐａ，Ｐｂ，・・・に覚醒度の改善方法を管理者から提案することが容易になるので、作業者Ｐａ，Ｐｂ，・・・の生産性が向上する。
【０１７４】
＜第３実施形態の変形例＞
（Ａ）図３１図３９に示す端末装置２４０ａの生成部２５３ａが、対象作業者Ｐａの覚醒度等関連情報（図５参照）を、第１相関関係記憶部１７から、集中管理部２１２と送受信部１１とネットワーク８０と送受信部４１ａと制御部２４２ａとを経由して受け取らなくもてよい。すなわち、生成部２５３ａが、第１検知部４４ａから制御部２４２ａを経由して、覚醒度等関連情報を受け取ってもよい。生成部２５３ａが、第２検知部４５ａから制御部２４２ａを経由して、対象作業者Ｐａの存在の情報を受け取ってもよい。他の作業者Ｐｂ，・・・が対象作業者である場合も同様である。
【０１７５】
（Ｂ）端末装置２４０ａ，・・・は、決定部２５４ａ，・・・をさらに備えてもよい。
（Ｃ）図４０に示すように、作業者管理システム２００ｎは、ローカル管理センタ２１０ｎとローカルエリアネットワーク３０とをさらに備えてもよい。ここで、ローカル管理センタ２１０ｎの構成要素は、図４１に示すように、管理センタ２１０の構成要素（図３８参照）と同様である。図４０に示すローカル管理センタ２１０ｎの作用も、管理センタ２１０の作用と同様である。ローカル管理センタ２１０ｎと端末装置２４０ａ，・・・とは、ローカルエリアネットワーク３０で接続され、ローカルエリア２０５ｎ内に設置されている。また、図４２に示すように、端末装置２４０ａｎ，・・・は、送受信部５４ａｎ，・・・をさらに備える。
【０１７６】
この場合、図４１に示す送受信部１１ｎが、覚醒度等関連情報（図５参照）と作業者Ｐａ，Ｐｂ，・・・の存在の情報とをローカルエリアネットワーク３０経由で受信する。また、集中管理部２１２ｎが、複数の作業者Ｐａ，Ｐｂ，・・・のうち報知作業者群（Ｐａ，Ｐｂ，・・・）について、覚醒度等関連情報（図５参照）をローカルエリアネットワーク３０経由で集中的に管理する。さらに、図３３に示す端末装置２４０ａ，・・・の報知部２４３ａ，・・・は、報知のための処理を行い、加工情報（図７参照）を、送受信部５４ａｎ，・・・とローカルエリアネットワーク３０と送受信部１１ｎと集中管理部２１２ｎとを経由してローカル管理者へ報知する。ここで、ローカル管理者は、複数の作業者Ｐａ，Ｐｂ，・・・をローカルエリアネットワーク３０経由で管理する者である。これらの点で第１実施形態と異なる。したがって、ローカル管理者へ加工情報（図７参照）を報知するので、ローカル管理者が複数の作業者Ｐａ，Ｐｂ，・・・をローカルエリアネットワーク３０経由で管理することを容易にすることができる。なお、ローカル管理者は、複数の作業者Ｐａ，Ｐｂ，・・・の作業を管理する人であってもよいし、ローカルエリア２０５ｎ内で複数の作業者Ｐａ，Ｐｂ，・・・の健康などを管理する保健衛生スタッフのようなものであってもよい。
【０１７７】
なお、作業者管理システム２００ｎは、管理センタ２１０とネットワーク８０とを備えなくてもよい。この場合でも、覚醒度等関連情報（図５参照）を報知作業者群（Ｐａ，Ｐｂ，・・・）について比較しながらローカル管理者が把握することが可能であるので、対象作業者Ｐａの覚醒度が適度な値でない場合に、その原因が対象作業者Ｐａの個人的な原因であるのか対象作業者Ｐａと別の作業者Ｐｂ，・・・とに共通した原因であるのかを判断することが可能である。他の作業者Ｐｂ，・・・が対象作業者となる場合も同様である。このため、覚醒度が適度な値でない作業者Ｐａ，Ｐｂ，・・・に覚醒度の改善方法をローカル管理者から提案することが容易になるので、作業者Ｐａ，Ｐｂ，・・・の生産性が向上する。
【産業上の利用可能性】
【０１７８】
本発明にかかる作業者管理システム、作業者管理方法及び作業者管理プログラムは、作業者の生産性を向上することができるという効果を有し、作業者管理システム、作業者管理方法及び作業者管理プログラム等として有用である。
【図面の簡単な説明】
【０１７９】
【図１】本発明の第１実施形態による作業者管理システムの構成図。
【図２】本発明の第１実施形態による管理センタの構成図。
【図３】本発明の第１実施形態による端末装置の構成図。
【図４】作業者管理システムが複数の作業者をネットワーク経由で管理する処理の流れを示すフローチャート。
【図５】覚醒度等関連情報を示す概念図。
【図６】第１相関関係記憶部の構成を示す概念図。
【図７】加工情報を示す概念図。
【図８】加工情報を示す概念図。
【図９】加工情報を示す概念図。
【図１０】加工情報を示す概念図。
【図１１】作業者管理システムが複数の作業者をネットワーク経由で管理する処理の流れを示すフローチャート。
【図１２】第３相関関係記憶部の構成を示す概念図。
【図１３】加工情報を示す概念図。
【図１４】加工情報を示す概念図。
【図１５】加工情報を示す概念図。
【図１６】加工情報を示す概念図。
【図１７】作業者管理システムが複数の作業者をネットワーク経由で管理する処理の流れを示すフローチャート。
【図１８】第３相関関係記憶部の構成を示す概念図。
【図１９】第２相関関係記憶部の構成を示す概念図。
【図２０】作業者管理システムが複数の作業者をネットワーク経由で管理する処理の流れを示すフローチャート。
【図２１】第１アドバイス情報の構成を示す概念図。
【図２２】第１アドバイス情報の構成を示す概念図。
【図２３】第２アドバイス情報の構成を示す概念図。
【図２４】第２アドバイス情報の構成を示す概念図。
【図２５】加工情報を示す概念図。
【図２６】加工情報を示す概念図。
【図２７】加工情報を示す概念図。
【図２８】本発明の第１実施形態による作業者管理システムの構成図。
【図２９】本発明の第１実施形態による管理センタの構成図。
【図３０】本発明の第１実施形態による端末装置の構成図。
【図３１】本発明の第２実施形態による作業者管理システムの構成図。
【図３２】本発明の第２実施形態による管理センタの構成図。
【図３３】本発明の第２実施形態による端末装置の構成図。
【図３４】本発明の第２実施形態による作業者管理システムの構成図。
【図３５】本発明の第２実施形態による管理センタの構成図。
【図３６】本発明の第２実施形態による端末装置の構成図。
【図３７】本発明の第３実施形態による作業者管理システムの構成図。
【図３８】本発明の第３実施形態による管理センタの構成図。
【図３９】本発明の第３実施形態による端末装置の構成図。
【図４０】本発明の第３実施形態による作業者管理システムの構成図。
【図４１】本発明の第３実施形態による管理センタの構成図。
【図４２】本発明の第３実施形態による端末装置の構成図。
【符号の説明】
【０１８０】
１，１ｎ，１００，１００ｎ，２００，２００ｎ  作業者管理システム
１０，１０ｎ，１１０，１１０ｎ，２１０，２１０ｎ  管理センタ
４０，４０ｎ，１４０，１４０ｎ，２４０，２４０ｎ  端末装置群
８０  ネットワーク
３０  ローカルエリアネットワーク
【図１】
2005222518.tif 000003
【図２】
2005222518.tif 000004
【図３】
2005222518.tif 000005
【図４】
2005222518.tif 000006
【図５】
2005222518.tif 000007
【図６】
2005222518.tif 000008
【図７】
2005222518.tif 000009
【図８】
2005222518.tif 000010
【図９】
2005222518.tif 000011
【図１０】
2005222518.tif 000012
【図１１】
2005222518.tif 000013
【図１２】
2005222518.tif 000014
【図１３】
2005222518.tif 000015
【図１４】
2005222518.tif 000016
【図１５】
2005222518.tif 000017
【図１６】
2005222518.tif 000018
【図１７】
2005222518.tif 000019
【図１８】
2005222518.tif 000020
【図１９】
2005222518.tif 000021
【図２０】
2005222518.tif 000022
【図２１】
2005222518.tif 000023
【図２２】
2005222518.tif 000024
【図２３】
2005222518.tif 000025
【図２４】
2005222518.tif 000026
【図２５】
2005222518.tif 000027
【図２６】
2005222518.tif 000028
【図２７】
2005222518.tif 000029
【図２８】
2005222518.tif 000030
【図２９】
2005222518.tif 000031
【図３０】
2005222518.tif 000032
【図３１】
2005222518.tif 000033
【図３２】
2005222518.tif 000034
【図３３】
2005222518.tif 000035
【図３４】
2005222518.tif 000036
【図３５】
2005222518.tif 000037
【図３６】
2005222518.tif 000038
【図３７】
2005222518.tif 000039
【図３８】
2005222518.tif 000040
【図３９】
2005222518.tif 000041
【図４０】
2005222518.tif 000042
【図４１】
2005222518.tif 000043
【図４２】
2005222518.tif 000044